(57)【要約】  【課題】情報を提供するウェブサイトへのアクセス回数を向上させることができるような情報配信装置及び情報配信方法を提供する。  【解決手段】配信情報と当該配信情報の配信対象となる機種属性情報とを対応付けて記憶しておく。会員遊技者の会員ＩＤと対応付けて該会員遊技者が遊技を行ったパチンコ機の機種名を記憶しておき、各機種別の遊技頻度を算出して、遊技頻度が高い機種を特定する。該特定した機種の機種属性情報と対応付けられている前記配信情報（ｂ１に示す機種情報，ｂ２に示すイベント情報，ｂ３に示す広告情報）を抽出し、該抽出した配信情報を配信する。これにより、会員遊技者の遊技嗜好を反映した情報を提供できるので、該情報を提供するウェブサイトへのアクセス回数を向上させることができる。【選択図】        図２１
2005230291.tif 000002
【特許請求の範囲】
【請求項１】
登録を行った会員遊技者が操作する情報端末からの要求に応じて各種の情報を配信する情報配信装置であって、
前記会員遊技者を個々に特定可能な会員遊技者特定情報を記憶する会員遊技者特定情報記憶手段と、
遊技機の機種を特定するための機種特定情報と、該機種特定情報から特定される機種の機種属性情報とを設定する機種属性情報設定手段と、
該機種属性情報設定手段で設定された各機種の機種特定情報と機種属性情報とを対応付けて記憶する機種属性情報記憶手段と、
前記会員遊技者に配信するための配信情報と、当該配信情報の配信対象となる前記機種属性情報とを設定する配信情報設定手段と、
該配信情報設定手段で設定された配信情報と当該配信情報の配信対象となる機種属性情報とを対応付けて、複数の配信情報を記憶する配信情報記憶手段と、
複数の遊技機が配置された遊技場に設けられる遊技場管理装置から、前記遊技機で遊技を行った会員遊技者の会員遊技者特定情報と、該会員遊技者が遊技を行った遊技機の前記機種特定情報とを含む遊技機種情報を受信する遊技機種情報受信手段と、
該遊技機種情報受信手段により受信した遊技機種情報に含まれる会員遊技者特定情報を前記会員遊技者特定情報記憶手段の記憶内容から特定し、該特定した会員遊技者特定情報と対応付けて前記受信した遊技機種情報に含まれる機種特定情報を記憶する遊技機種情報記憶手段と、
前記会員遊技者特定情報を受け付ける会員遊技者特定情報受付手段と、
前記遊技機種情報記憶手段の記憶内容に基づいて、各会員遊技者特定情報毎に、前記機種特定情報別の遊技頻度を算出する算出処理を行う算出手段と、
該算出手段による算出結果に基づいて、前記会員遊技者特定情報受付手段により受け付けた会員遊技者特定情報と対応付けて前記遊技機種情報記憶手段で記憶されている機種特定情報のうちの、前記遊技頻度が高い機種特定情報を特定する特定処理を行う特定手段と、
前記機種属性情報記憶手段の記憶内容から該特定手段により特定した機種特定情報と対応付けられている機種属性情報を抽出する属性情報抽出手段と、
前記配信情報記憶手段で記憶されている複数の配信情報のうちの、前記属性情報抽出手段により抽出した機種属性情報と対応付けられている配信情報を抽出する配信情報抽出手段と、
該配信情報抽出手段により抽出した配信情報を、前記会員遊技者特定情報受付手段により受け付けた会員遊技者特定情報から特定される会員遊技者が操作する情報端末に対して配信する情報配信手段と、
を備えることを特徴とする情報配信装置。
【請求項２】
請求項１に記載した情報配信装置であって、
前記配信情報設定手段は、前記配信情報として遊技場で開催されるイベントに関するイベント情報と、当該イベント情報の配信対象となる前記機種属性情報とを設定でき、
前記配信情報記憶手段は、該配信情報設定手段で設定されたイベント情報と当該イベント情報の配信対象となる機種属性情報とを対応付けて、複数のイベント情報を記憶し、
前記配信情報抽出手段は、該配信情報記憶手段で記憶されている複数のイベント情報のうちの、前記属性情報抽出手段により抽出した機種属性情報と対応付けられているイベント情報を抽出することを特徴とする情報配信装置。
【請求項３】
請求項１又は２に記載した情報配信装置であって、
前記機種属性情報記憶手段の記憶内容に基づいて、前記属性情報抽出手段により抽出した機種属性情報と同一の機種属性情報を含む機種属性情報が対応付けられている他の機種の機種特定情報を特定する他機種特定手段をさらに備え、
前記属性情報抽出手段は、前記機種属性情報記憶手段の記憶内容から該他機種特定手段により特定した他の機種の機種特定情報と対応付けられている機種属性情報を抽出することを特徴とする情報配信装置。
【請求項４】
請求項１〜３のいずれか１つに記載した情報配信装置であって、
景品の種類を少なくとも特定するための景品特定情報と、該景品特定情報から特定される景品の景品属性情報とを設定する景品属性情報設定手段と、
該景品属性情報設定手段で設定された各景品の景品特定情報と景品属性情報とを対応付けて記憶する景品属性情報記憶手段と、
前記遊技場管理装置から、景品交換を行った会員遊技者の会員遊技者特定情報と、該会員遊技者が景品交換を行った景品の前記景品特定情報とを含む景品交換情報を受信する景品交換情報受信手段と、
該景品交換情報受信手段により受信した景品交換情報に含まれる会員遊技者特定情報を前記会員遊技者特定情報記憶手段の記憶内容から特定し、該特定した会員遊技者特定情報と対応付けて前記受信した景品交換情報に含まれる景品特定情報を記憶する景品交換情報記憶手段と、をさらに備え、
前記配信情報設定手段は、前記配信情報の配信対象となる前記景品属性情報を設定でき、
前記配信情報記憶手段は、該配信情報設定手段で設定された配信情報と当該配信情報の配信対象となる景品属性情報とを対応付けて、複数の配信情報を記憶し、
前記算出手段は、前記景品交換情報記憶手段の記憶内容に基づいて、各会員遊技者特定情報毎に、前記景品特定情報別の交換頻度を算出する算出処理を行い、
前記特定手段は、該算出手段による算出結果に基づいて、前記会員遊技者特定情報受付手段により受け付けた会員遊技者特定情報と対応付けて前記景品交換情報記憶手段で記憶されている景品特定情報のうちの、前記交換頻度が高い景品特定情報を特定する特定処理を行い、
前記属性情報抽出手段は、前記景品属性情報記憶手段の記憶内容から該特定手段により特定した景品特定情報と対応付けられている景品属性情報を抽出し、
前記配信情報抽出手段は、前記配信情報記憶手段で記憶されている複数の配信情報のうちの、前記属性情報抽出手段により抽出した景品属性情報と対応付けられている配信情報を抽出することを特徴とする情報配信装置。
【請求項５】
請求項４に記載した情報配信装置であって、
前記配信情報設定手段は、前記配信情報として前記景品に関する広告情報と、当該広告情報の配信対象となる前記景品属性情報とを設定でき、
前記配信情報記憶手段は、該配信情報設定手段で設定された広告情報と当該広告情報の配信対象となる景品属性情報とを対応付けて、複数の広告情報を記憶し、
前記配信情報抽出手段は、該配信情報記憶手段で記憶されている複数の広告情報のうちの、前記属性情報抽出手段により抽出した景品属性情報と対応付けられている広告情報を抽出することを特徴とする情報配信装置。
【請求項６】
請求項１〜５のいずれか１つに記載した情報配信装置であって、
遊技場を特定するための遊技場特定情報と、該遊技場の遊技場属性情報とを設定する遊技場属性情報設定手段と、
該遊技場属性情報設定手段で設定された各遊技場の遊技場特定情報と遊技場属性情報とを対応付けて記憶する遊技場属性情報記憶手段と、
前記遊技場管理装置から、前記会員遊技者の会員遊技者特定情報と、該会員遊技者が当該遊技場に来店した旨を示す来店情報を受信する来店情報受信手段と、
該来店情報受信手段により受信した会員遊技者特定情報を前記会員遊技者特定情報記憶手段の記憶内容から特定し、該特定した会員遊技者特定情報と対応付けて前記受信した来店情報を記憶する来店情報記憶手段と、
前記会員遊技者特定情報受付手段により受け付けた会員遊技者特定情報から特定される会員遊技者が登録を行っているすべての遊技場を特定する会員遊技場特定手段と、をさらに備え、
前記配信情報設定手段は、前記配信情報の配信対象となる前記遊技場属性情報を設定でき、
前記配信情報記憶手段は、該配信情報設定手段で設定された配信情報と当該配信情報の配信対象となる遊技場属性情報とを対応付けて、複数の配信情報を記憶し、
前記算出手段は、前記来店情報記憶手段で記憶されている来店情報に基づいて、前記会員遊技場特定手段により特定した各遊技場別の来店頻度を算出する算出処理を行い、
前記特定手段は、該算出手段による算出結果に基づいて、前記会員遊技場特定手段により特定したすべての遊技場のうちの、前記来店頻度が高い遊技場を特定する特定処理を行い、
前記属性情報抽出手段は、前記遊技場属性情報記憶手段の記憶内容から該特定手段により特定した遊技場の前記遊技場特定情報と対応付けられている遊技場属性情報を抽出し、
前記配信情報抽出手段は、前記配信情報記憶手段で記憶されている複数の配信情報のうちの、前記属性情報抽出手段により抽出した遊技場属性情報と対応付けられている配信情報を抽出することを特徴とする情報配信装置。
【請求項７】
請求項１〜６のいずれか１つに記載した情報配信装置であって、
前記機種属性情報設定手段は、各機種毎に、当該機種に関する複数の機種属性情報を設定でき、
前記機種属性情報記憶手段は、該機種属性情報設定手段で設定された各機種の機種特定情報と複数の機種属性情報とを対応付けて記憶し、
前記配信情報設定手段は、各配信情報に対応付けて、配信対象となる前記複数の機種属性情報を設定でき、
前記配信情報記憶手段は、該配信情報設定手段で設定された配信情報と当該配信情報の配信対象となる複数の機種属性情報とを対応付けて、複数の配信情報を記憶し、
前記属性情報抽出手段は、前記機種属性情報記憶手段の記憶内容から前記特定手段により特定した機種特定情報と対応付けられている複数の機種属性情報を抽出し、
前記配信情報抽出手段は、前記配信情報記憶手段で記憶されている複数の配信情報のうちの、前記属性情報抽出手段により抽出した複数の機種属性情報が対応付けられている配信情報を抽出することを特徴とする情報配信装置。
【請求項８】
請求項１〜７のいずれか１つに記載した情報配信装置であって、
前記算出手段は、現在から予め定めた過去の所定期間について、前記算出処理を行うことを特徴とする情報配信装置。
【請求項９】
請求項１〜８のいずれか１つに記載した情報配信装置であって、
前記会員遊技者が操作する情報端末から前記配信情報の配信要求を受け付ける配信要求受付手段をさらに備え、
前記特定手段は、該配信要求受付手段により配信要求を受け付けたことに基づいて、前記特定処理を行うことを特徴とする情報配信装置。
【請求項１０】
登録を行った会員遊技者が操作する情報端末からの要求に応じて各種の情報を配信する情報配信方法であって、
前記会員遊技者を個々に特定可能な会員遊技者特定情報を記憶する会員遊技者特定情報記憶ステップと、
遊技機の機種を特定するための機種特定情報と、該機種特定情報から特定される機種の機種属性情報とを設定する機種属性情報設定ステップと、
該機種属性情報設定ステップで設定された各機種の機種特定情報と機種属性情報とを対応付けて記憶する機種属性情報記憶ステップと、
前記会員遊技者に配信するための配信情報と、当該配信情報の配信対象となる前記機種属性情報とを設定する配信情報設定ステップと、
該配信情報設定ステップで設定された配信情報と当該配信情報の配信対象となる機種属性情報とを対応付けて、複数の配信情報を記憶する配信情報記憶ステップと、
複数の遊技機が配置された遊技場に設けられる遊技場管理装置から、前記遊技機で遊技を行った会員遊技者の会員遊技者特定情報と、該会員遊技者が遊技を行った遊技機の前記機種特定情報とを含む遊技機種情報を受信する遊技機種情報受信ステップと、
該遊技機種情報受信ステップにより受信した遊技機種情報に含まれる会員遊技者特定情報を前記会員遊技者特定情報記憶ステップでの記憶内容から特定し、該特定した会員遊技者特定情報と対応付けて前記受信した遊技機種情報に含まれる機種特定情報を記憶する遊技機種情報記憶ステップと、
前記会員遊技者特定情報を受け付ける会員遊技者特定情報受付ステップと、
前記遊技機種情報記憶ステップでの記憶内容に基づいて、各会員遊技者特定情報毎に、前記機種特定情報別の遊技頻度を算出する算出処理を行う算出ステップと、
該算出ステップによる算出結果に基づいて、前記会員遊技者特定情報受付ステップにより受け付けた会員遊技者特定情報と対応付けて前記遊技機種情報記憶ステップで記憶されている機種特定情報のうちの、前記遊技頻度が高い機種特定情報を特定する特定処理を行う特定ステップと、
前記機種属性情報記憶ステップでの記憶内容から該特定ステップにより特定した機種特定情報と対応付けられている機種属性情報を抽出する属性情報抽出ステップと、
前記配信情報記憶ステップで記憶されている複数の配信情報のうちの、前記属性情報抽出ステップにより抽出した機種属性情報と対応付けられている配信情報を抽出する配信情報抽出ステップと、
該配信情報抽出ステップにより抽出した配信情報を、前記会員遊技者特定情報受付ステップにより受け付けた会員遊技者特定情報から特定される会員遊技者が操作する情報端末に対して配信する情報配信ステップと、
を備えることを特徴とする情報配信方法。
【発明の詳細な説明】
【技術分野】
【０００１】
本発明は、登録を行った会員遊技者が操作する情報端末からの要求に応じて各種の情報を配信する情報配信装置及び情報配信方法に係り、特に該会員遊技者の遊技嗜好等を反映した情報の配信が可能な情報配信装置及び情報配信方法に関する。
【背景技術】
【０００２】
従来より、特許文献１に示すように、複数の遊技場に関する情報（例えば案内地図，新装開店情報，店内レイアウト等）を入手して登録し、ウェブサイトにアクセスしたアクセス利用者が所望する情報を該アクセス利用者に対して配信（提供）する情報配信装置が知られている。
【０００３】
【特許文献１】特開２００２−８３０８８号公報（第４頁，図８）
【発明の開示】
【発明が解決しようとする課題】
【０００４】
しかしながら、上記特許文献１に示すような情報配信装置からは、各アクセス利用者（遊技者）の遊技嗜好に拘わらず一律の内容の情報が配信されており、該アクセス利用者（遊技者）にとって興味のない無駄な情報が配信されることも多いため、結果として前記ウェブサイトへのアクセス回数が減少してしまうという問題があった。
【０００５】
本発明は、このような背景のもとになされたものであり、その目的は、情報を提供するウェブサイトへのアクセス回数を向上させることができるような情報配信装置及び情報配信方法を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、登録を行った会員遊技者が操作する情報端末（パソコン１，携帯電話端末２）からの要求に応じて各種の情報を配信する情報配信装置（５０）であって、前記会員遊技者を個々に特定可能な会員遊技者特定情報（カードＩＤ）を記憶する会員遊技者特定情報記憶手段（ハードディスク５５の会員情報ＤＢ）と、遊技機（パチンコ機１０）の機種を特定するための機種特定情報（機種名）と、該機種特定情報から特定される機種の機種属性情報（シリーズ，メーカー，スペック，モチーフ）とを設定する機種属性情報設定手段（ディスプレイ５３及び入力装置５４）と、該機種属性情報設定手段で設定された各機種の機種特定情報と機種属性情報とを対応付けて記憶する機種属性情報記憶手段（ハードディスク５５の機種属性情報ＤＢ）と、前記会員遊技者に配信するための配信情報（機種情報，イベント情報，広告情報）と、当該配信情報の配信対象となる前記機種属性情報とを設定する配信情報設定手段（ディスプレイ５３及び入力装置５４）と、該配信情報設定手段で設定された配信情報と当該配信情報の配信対象となる機種属性情報とを対応付けて、複数の配信情報を記憶する配信情報記憶手段（ハードディスク５５の機種属性情報ＤＢ，イベント情報ＤＢ，広告情報ＤＢ）と、複数の遊技機が配置された遊技場（６）に設けられる遊技場管理装置（４０）から、前記遊技機で遊技を行った会員遊技者の会員遊技者特定情報と、該会員遊技者が遊技を行った遊技機の前記機種特定情報とを含む遊技機種情報を受信する遊技機種情報受信手段（通信部５２）と、該遊技機種情報受信手段により受信した遊技機種情報に含まれる会員遊技者特定情報を前記会員遊技者特定情報記憶手段の記憶内容から特定し、該特定した会員遊技者特定情報と対応付けて前記受信した遊技機種情報に含まれる機種特定情報を記憶する遊技機種情報記憶手段（ハードディスク５５の会員履歴ＤＢ）と、前記会員遊技者特定情報を受け付ける会員遊技者特定情報受付手段（通信部５２）と、前記遊技機種情報記憶手段の記憶内容に基づいて、各会員遊技者特定情報毎に、前記機種特定情報別の遊技頻度を算出する算出処理を行う算出手段（制御部５１）と、該算出手段による算出結果に基づいて、前記会員遊技者特定情報受付手段により受け付けた会員遊技者特定情報と対応付けて前記遊技機種情報記憶手段で記憶されている機種特定情報のうちの、前記遊技頻度が高い機種特定情報を特定する特定処理を行う特定手段（制御部５１）と、前記機種属性情報記憶手段の記憶内容から該特定手段により特定した機種特定情報と対応付けられている機種属性情報を抽出する属性情報抽出手段（制御部５１）と、前記配信情報記憶手段で記憶されている複数の配信情報のうちの、前記属性情報抽出手段により抽出した機種属性情報と対応付けられている配信情報を抽出する配信情報抽出手段（制御部５１）と、該配信情報抽出手段により抽出した配信情報を、前記会員遊技者特定情報受付手段により受け付けた会員遊技者特定情報から特定される会員遊技者が操作する情報端末に対して配信する情報配信手段（通信部５２）と、を備えることを特徴とする情報配信装置である。
【０００８】
また請求項２に係る発明は、請求項１に記載した情報配信装置（５０）であって、前記配信情報設定手段（ディスプレイ５３及び入力装置５４）は、前記配信情報として遊技場（６）で開催されるイベントに関するイベント情報と、当該イベント情報の配信対象となる前記機種属性情報とを設定でき、前記配信情報記憶手段（ハードディスク５５のイベント情報ＤＢ）は、該配信情報設定手段で設定されたイベント情報と当該イベント情報の配信対象となる機種属性情報とを対応付けて、複数のイベント情報を記憶し、前記配信情報抽出手段（制御部５１）は、該配信情報記憶手段で記憶されている複数のイベント情報のうちの、前記属性情報抽出手段（制御部５１）により抽出した機種属性情報と対応付けられているイベント情報を抽出することを特徴とする情報配信装置である。
【０００９】
また請求項３に係る発明は、請求項１又は２に記載した情報配信装置（５０）であって、前記機種属性情報記憶手段（ハードディスク５５の機種属性情報ＤＢ）の記憶内容に基づいて、前記属性情報抽出手段（制御部５１）により抽出した機種属性情報と同一の機種属性情報を含む機種属性情報が対応付けられている他の機種の機種特定情報（機種名）を特定する他機種特定手段（制御部５１）をさらに備え、前記属性情報抽出手段は、前記機種属性情報記憶手段の記憶内容から該他機種特定手段により特定した他の機種の機種特定情報と対応付けられている機種属性情報を抽出することを特徴とする情報配信装置である。
【００１０】
また請求項４に係る発明は、請求項１〜３のいずれか１つに記載した情報配信装置（５０）であって、景品の種類を少なくとも特定するための景品特定情報（景品種類，景品詳細）と、該景品特定情報から特定される景品の景品属性情報（景品種類，景品詳細）とを設定する景品属性情報設定手段（ディスプレイ５３及び入力装置５４）と、該景品属性情報設定手段で設定された各景品の景品特定情報と景品属性情報とを対応付けて記憶する景品属性情報記憶手段（ハードディスク５５の景品属性情報ＤＢ）と、前記遊技場管理装置（４０）から、景品交換を行った会員遊技者の会員遊技者特定情報（会員ＩＤ）と、該会員遊技者が景品交換を行った景品の前記景品特定情報とを含む景品交換情報を受信する景品交換情報受信手段（通信部５２）と、該景品交換情報受信手段により受信した景品交換情報に含まれる会員遊技者特定情報を前記会員遊技者特定情報記憶手段（ハードディスク５５の会員情報ＤＢ）の記憶内容から特定し、該特定した会員遊技者特定情報と対応付けて前記受信した景品交換情報に含まれる景品特定情報を記憶する景品交換情報記憶手段（ハードディスク５５の会員履歴ＤＢ）と、をさらに備え、前記配信情報設定手段（ディスプレイ５３及び入力装置５４）は、前記配信情報の配信対象となる前記景品属性情報を設定でき、前記配信情報記憶手段（ハードディスク５５の広告情報ＤＢ）は、該配信情報設定手段で設定された配信情報と当該配信情報の配信対象となる景品属性情報とを対応付けて、複数の配信情報を記憶し、前記算出手段（制御部５１）は、前記景品交換情報記憶手段の記憶内容に基づいて、各会員遊技者特定情報毎に、前記景品特定情報別の交換頻度を算出する算出処理を行い、前記特定手段（制御部５１）は、該算出手段による算出結果に基づいて、前記会員遊技者特定情報受付手段（通信部５２）により受け付けた会員遊技者特定情報と対応付けて前記景品交換情報記憶手段で記憶されている景品特定情報のうちの、前記交換頻度が高い景品特定情報を特定する特定処理を行い、前記属性情報抽出手段（制御部５１）は、前記景品属性情報記憶手段の記憶内容から該特定手段により特定した景品特定情報と対応付けられている景品属性情報を抽出し、前記配信情報抽出手段（制御部５１）は、前記配信情報記憶手段で記憶されている複数の配信情報のうちの、前記属性情報抽出手段により抽出した景品属性情報と対応付けられている配信情報を抽出することを特徴とする情報配信装置である。
【００１１】
また請求項５に係る発明は、請求項４に記載した情報配信装置（５０）であって、前記配信情報設定手段（ディスプレイ５３及び入力装置５４）は、前記配信情報として前記景品に関する広告情報と、当該広告情報の配信対象となる前記景品属性情報とを設定でき、前記配信情報記憶手段（ハードディスク５５の広告情報ＤＢ）は、該配信情報設定手段で設定された広告情報と当該広告情報の配信対象となる景品属性情報とを対応付けて、複数の広告情報を記憶し、前記配信情報抽出手段（制御部５１）は、該配信情報記憶手段で記憶されている複数の広告情報のうちの、前記属性情報抽出手段（制御部５１）により抽出した景品属性情報と対応付けられている広告情報を抽出することを特徴とする情報配信装置である。
【００１２】
また請求項６に係る発明は、請求項１〜５のいずれか１つに記載した情報配信装置（５０）であって、遊技場（６）を特定するための遊技場特定情報（遊技場ＩＤ）と、該遊技場の遊技場属性情報（遊技場名，地区）とを設定する遊技場属性情報設定手段（ディスプレイ５３及び入力装置５４）と、該遊技場属性情報設定手段で設定された各遊技場の遊技場特定情報と遊技場属性情報とを対応付けて記憶する遊技場属性情報記憶手段（ハードディスク５５の遊技場属性情報ＤＢ）と、前記遊技場管理装置（４０）から、前記会員遊技者の会員遊技者特定情報（会員ＩＤ）と、該会員遊技者が当該遊技場に来店した旨を示す来店情報を受信する来店情報受信手段（通信部５２）と、該来店情報受信手段により受信した会員遊技者特定情報を前記会員遊技者特定情報記憶手段（ハードディスク５５の会員情報ＤＢ）の記憶内容から特定し、該特定した会員遊技者特定情報と対応付けて前記受信した来店情報を記憶する来店情報記憶手段（ハードディスク５５の会員履歴ＤＢ）と、前記会員遊技者特定情報受付手段（通信部５２）により受け付けた会員遊技者特定情報から特定される会員遊技者が登録を行っているすべての遊技場を特定する会員遊技場特定手段（制御部５１）と、をさらに備え、前記配信情報設定手段（ディスプレイ５３及び入力装置５４）は、前記配信情報の配信対象となる前記遊技場属性情報を設定でき、前記配信情報記憶手段（ハードディスク５５のイベント情報ＤＢ，広告情報ＤＢ）は、該配信情報設定手段で設定された配信情報と当該配信情報の配信対象となる遊技場属性情報とを対応付けて、複数の配信情報を記憶し、前記算出手段（制御部５１）は、前記来店情報記憶手段で記憶されている来店情報に基づいて、前記会員遊技場特定手段により特定した各遊技場別の来店頻度を算出する算出処理を行い、前記特定手段（制御部５１）は、該算出手段による算出結果に基づいて、前記会員遊技場特定手段により特定したすべての遊技場のうちの、前記来店頻度が高い遊技場を特定する特定処理を行い、前記属性情報抽出手段（制御部５１）は、前記遊技場属性情報記憶手段の記憶内容から該特定手段により特定した遊技場の前記遊技場特定情報と対応付けられている遊技場属性情報を抽出し、前記配信情報抽出手段（制御部５１）は、前記配信情報記憶手段で記憶されている複数の配信情報のうちの、前記属性情報抽出手段により抽出した遊技場属性情報と対応付けられている配信情報を抽出することを特徴とする情報配信装置である。
【００１３】
また請求項７に係る発明は、請求項１〜６のいずれか１つに記載した情報配信装置（５０）であって、前記機種属性情報設定手段（ディスプレイ５３及び入力装置５４）は、各機種毎に、当該機種に関する複数の機種属性情報（シリーズ，メーカー，スペック，モチーフ）を設定でき、前記機種属性情報記憶手段（ハードディスク５５の機種属性情報ＤＢ）は、該機種属性情報設定手段で設定された各機種の機種特定情報と複数の機種属性情報とを対応付けて記憶し、前記配信情報設定手段（ディスプレイ５３及び入力装置５４）は、各配信情報に対応付けて、配信対象となる前記複数の機種属性情報を設定でき、前記配信情報記憶手段（ハードディスク５５の機種属性情報ＤＢ，イベント情報ＤＢ，広告情報ＤＢ）は、該配信情報設定手段で設定された配信情報と当該配信情報の配信対象となる複数の機種属性情報とを対応付けて、複数の配信情報を記憶し、前記属性情報抽出手段（制御部５１）は、前記機種属性情報記憶手段の記憶内容から前記特定手段（制御部５１）により特定した機種特定情報と対応付けられている複数の機種属性情報を抽出し、前記配信情報抽出手段（制御部５１）は、前記配信情報記憶手段で記憶されている複数の配信情報のうちの、前記属性情報抽出手段により抽出した複数の機種属性情報が対応付けられている配信情報を抽出することを特徴とする情報配信装置である。
【００１４】
また請求項８に係る発明は、請求項１〜７のいずれか１つに記載した情報配信装置（５０）であって、前記算出手段（制御部５１）は、現在から予め定めた過去の所定期間について、前記算出処理を行うことを特徴とする情報配信装置である。
【００１５】
また請求項９に係る発明は、請求項１〜８のいずれか１つに記載した情報配信装置（５０）であって、前記会員遊技者が操作する情報端末（パソコン１，携帯電話端末２）から前記配信情報の配信要求を受け付ける配信要求受付手段（通信部５２）をさらに備え、前記特定手段（制御部５１）は、該配信要求受付手段により配信要求を受け付けたことに基づいて、前記特定処理を行うことを特徴とする情報配信装置である。
【００１６】
さらに請求項１０に係る発明は、登録を行った会員遊技者が操作する情報端末（パソコン１，携帯電話端末２）からの要求に応じて各種の情報を配信する情報配信方法であって、前記会員遊技者を個々に特定可能な会員遊技者特定情報（会員ＩＤ）を記憶する会員遊技者特定情報記憶ステップ（Ｓａ２）と、遊技機（パチンコ機１０）の機種を特定するための機種特定情報（機種名）と、該機種特定情報から特定される機種の機種属性情報（シリーズ，メーカー，スペック，モチーフ）とを設定する機種属性情報設定ステップ（Ｓａ４）と、該機種属性情報設定ステップで設定された各機種の機種特定情報と機種属性情報とを対応付けて記憶する機種属性情報記憶ステップ（Ｓａ５）と、前記会員遊技者に配信するための配信情報（機種情報，イベント情報，広告情報）と、当該配信情報の配信対象となる前記機種属性情報とを設定する配信情報設定ステップ（Ｓａ１３）と、該配信情報設定ステップで設定された配信情報と当該配信情報の配信対象となる機種属性情報とを対応付けて、複数の配信情報を記憶する配信情報記憶ステップ（Ｓａ１４）と、複数の遊技機が配置された遊技場（６）に設けられる遊技場管理装置（４０）から、前記遊技機で遊技を行った会員遊技者の会員遊技者特定情報と、該会員遊技者が遊技を行った遊技機の前記機種特定情報とを含む遊技機種情報を受信する遊技機種情報受信ステップ（Ｓａ１７）と、該遊技機種情報受信ステップにより受信した遊技機種情報に含まれる会員遊技者特定情報を前記会員遊技者特定情報記憶ステップでの記憶内容から特定し、該特定した会員遊技者特定情報と対応付けて前記受信した遊技機種情報に含まれる機種特定情報を記憶する遊技機種情報記憶ステップ（Ｓａ１８）と、前記会員遊技者特定情報を受け付ける会員遊技者特定情報受付ステップ（Ｓｂ１）と、前記遊技機種情報記憶ステップでの記憶内容に基づいて、各会員遊技者特定情報毎に、前記機種特定情報別の遊技頻度を算出する算出処理を行う算出ステップ（Ｓｂ７）と、該算出ステップによる算出結果に基づいて、前記会員遊技者特定情報受付ステップにより受け付けた会員遊技者特定情報と対応付けて前記遊技機種情報記憶ステップで記憶されている機種特定情報のうちの、前記遊技頻度が高い機種特定情報を特定する特定処理を行う特定ステップ（Ｓｂ８）と、前記機種属性情報記憶ステップでの記憶内容から該特定ステップにより特定した機種特定情報と対応付けられている機種属性情報を抽出する属性情報抽出ステップ（Ｓｂ９）と、前記配信情報記憶ステップで記憶されている複数の配信情報のうちの、前記属性情報抽出ステップにより抽出した機種属性情報と対応付けられている配信情報を抽出する配信情報抽出ステップ（Ｓｂ１０）と、該配信情報抽出ステップにより抽出した配信情報を、前記会員遊技者特定情報受付ステップにより受け付けた会員遊技者特定情報から特定される会員遊技者が操作する情報端末に対して配信する情報配信ステップ（Ｓｂ１１）と、を備えることを特徴とする情報配信方法である。
【発明の効果】
【００１７】
まず請求項１に係る情報配信装置によれば、会員遊技者による遊技頻度が高い機種の機種属性情報に対応する配信情報を配信することから、該会員遊技者の遊技嗜好を反映した情報を提供できるので、該情報を提供するウェブサイトへのアクセス回数を向上させることができる。
【００１８】
また請求項２に係る情報配信装置によれば、会員遊技者による遊技頻度が高い機種の機種属性情報に対応するイベント情報を配信することから、該会員遊技者の遊技嗜好を反映したイベント情報を提供できるので、より集客効果を向上させることができる。
【００１９】
また請求項３に係る情報配信装置によれば、会員遊技者による遊技頻度が高い機種の機種属性情報を含む他の機種の機種属性情報に対応する配信情報を配信することから、当該他の機種に関する情報を配信する場合にも該会員遊技者の遊技嗜好を反映した情報を提供できるので、より集客効果を向上させることができる。
【００２０】
また請求項４に係る情報配信装置によれば、会員遊技者による交換頻度が高い景品の景品属性情報に対応する配信情報を配信することから、該会員遊技者の景品嗜好を反映した情報を提供できるので、該情報を提供するウェブサイトへのアクセス回数をさらに向上させることができる。
【００２１】
また請求項５に係る情報配信装置によれば、会員遊技者による交換頻度が高い景品の景品属性情報に対応する広告情報を配信することから、該会員遊技者の景品嗜好を反映した広告情報を提供できるので、より広告の宣伝効果を向上させることができる。
【００２２】
また請求項６に係る情報配信装置によれば、会員遊技者による来店頻度が高い遊技場の遊技場属性情報に対応する配信情報を配信することから、該会員遊技者の来店状況を反映した情報を提供できるので、該情報を提供するウェブサイトへのアクセス回数をさらに向上させることができる。
【００２３】
また請求項７に係る情報配信装置によれば、複数の機種属性情報に対応する配信情報を抽出して配信することから、会員遊技者の遊技嗜好をより確実に反映した情報を提供できるので、該情報を提供するウェブサイトへのアクセス回数をさらに向上させることができる。
【００２４】
また請求項８に係る情報配信装置によれば、現在から予め定めた過去の所定期間について遊技頻度等を算出する算出処理を行うことから、現状の会員遊技者の嗜好を反映した情報を提供できるので、該情報を提供するウェブサイトへのアクセス回数をさらに向上させることができる。
【００２５】
また請求項９に係る情報配信装置によれば、会員遊技者から配信情報の配信要求を受け付けたことに基づいて、遊技頻度が高い機種等を特定する特定処理を行うことから、すべての会員遊技者について該特定処理を行う必要がなくなるので、処理負担を軽減することができる。
【００２６】
さらに請求項１０に係る情報配信方法によれば、会員遊技者による遊技頻度が高い機種の機種属性情報に対応する配信情報を配信することから、該会員遊技者の遊技嗜好を反映した情報を提供できるので、該情報を提供するウェブサイトへのアクセス回数を向上することができる。
【発明を実施するための最良の形態】
【００２７】
以下、本発明の実施の形態を、図面を参照して説明する。本発明は、図１に示すように、登録を行った会員遊技者が操作する情報端末（パソコン１，携帯電話端末２）からの要求に応じて各種の情報を配信する情報配信装置５０及び情報配信方法に係り、特に該会員遊技者の遊技嗜好等を反映した情報の配信が可能な情報配信装置及び情報配信方法である。具体的には、後述する図２のＤ２に示すように、配信情報（機種情報，イベント情報，及び広告情報）として、会員遊技者による遊技頻度が高い機種の機種属性情報に対応する情報，会員遊技者による交換頻度が高い景品の景品属性情報に対応する情報，及び会員遊技者による来店頻度が高い遊技場の遊技場属性情報に対応する情報を配信することにより、該会員遊技者の遊技嗜好，景品嗜好，来店状況を反映した情報を提供することを特徴とするものである。
【００２８】
以下においては、まず情報配信装置５０に関連する各構成要素について説明し、次に本発明に係る情報配信装置５０の構成について説明し、次に該情報配信装置５０の作用（即ち本発明に係る情報配信方法）について説明し、最後に本発明の変形例について説明する。なお、以下においては、リーダ／ライタを「Ｒ／Ｗ」，データベースを「ＤＢ」と略記する。
【００２９】
［１．情報配信装置５０に関連する各構成要素］
図１に示すように、情報配信装置５０は、会員カード３の発行や管理を行うカード会社４に設けられており、インターネット５を介して、遊技場６に設けられる遊技場管理装置４０と通信可能であり、該遊技場管理装置４０は、遊技場６に設けられる呼出ランプ装置２０及びＰＯＳ装置３０と通信可能である。これら呼出ランプ装置２０，ＰＯＳ装置３０，遊技場管理装置４０，及び情報配信装置５０で、情報配信システム１００が構成される。なお情報配信装置５０は、インターネット５を介して、パソコン１及び携帯電話端末２と通信可能であると共に、遊技機メーカー７Ａ及び広告代理店７Ｂとも通信可能である。
【００３０】
パソコン１は、登録を行った会員遊技者が操作する情報端末の一例であって、インターネット接続機能を有すると共に、各種の情報を表示可能なディスプレイ１ａを有するものである。携帯電話端末２も、登録を行った会員遊技者が操作する情報端末の一例であって、インターネット接続機能を有すると共に、各種の情報を表示可能なディスプレイ２ａを有するものである。これらパソコン１又は携帯電話端末２におけるインターネット接続機能について、図２を参照して説明する。この図２は、パソコン１又は携帯電話端末２のディスプレイ１ａ又は２ａに表示される画面の一例を表す図である。
【００３１】
まずパソコン１又は携帯電話端末２から、インターネット５を介してカード会社４が運営するウェブサイトにアクセスすると、該カード会社４に設けられた情報配信装置５０からＤ１に示すログイン画面が配信されて、表示される。このＤ１に示すログイン画面において、会員遊技者が、該会員遊技者を個々に特定可能な会員遊技者特定情報である会員ＩＤと、パスワードとを入力して、「ログイン」ボタンを操作すると、パソコン１又は携帯電話端末２から情報配信装置５０に対して、該入力された会員ＩＤと、前記配信情報の配信要求が送信され、該情報配信装置５０からＤ２に示す情報メニュー画面が配信されて、表示される。
【００３２】
この情報メニュー画面では、前述の如く、会員遊技者の遊技嗜好等を反映した配信情報が提供される。なお情報メニュー画面において、会員遊技者が、「その他」ボタンを操作すると、Ｄ２に示す以外の情報の選択が可能となり、該選択された情報が情報配信装置５０から配信されて、表示される。この情報メニュー画面において、会員遊技者が、いずれかの情報（ここでは「○○ホール  イベント情報」）を選択すると、情報配信装置５０からＤ３に示す情報内容画面が配信されて、表示される。この情報内容画面では、前記Ｄ２で選択された情報の内容が提供される。なお情報内容画面において、会員遊技者が、「詳細」ボタンを操作すると、該操作されたボタンに対応する情報の詳細な内容が情報配信装置５０から配信されて、表示される。
【００３３】
図１に戻り、会員カード３は記録媒体の一例であって、遊技場６について会員属性情報（ここでは後述する図１２に示すパスワード，氏名，住所，性別，生年月日，及び電子メールアドレス）の登録を行った会員遊技者に対して発行され、該会員遊技者を個々に特定可能な会員遊技者特定情報である会員ＩＤが記録されたものである。この会員カード３は、長方形状を呈するプラスチック製の薄板における所定の部位に、会員ＩＤ等が記録される記録領域（図示外）が形成されてなるものであり、ここでは該記録領域として不揮発性のＥＥＰＲＯＭを備える非接触式の集積回路を搭載したＩＣカードである。なお遊技場６において、前記会員属性情報の登録（以下「会員登録」という。）が行われると、該登録された会員属性情報と、会員遊技者に対して発行される会員カード３に記録されている会員ＩＤが、遊技場管理装置４０から情報配信装置５０に対して送信される。
【００３４】
遊技場６には、複数のパチンコ機１０が設置されている。具体的には、パチンコ機１０は、遊技場６内に配置された遊技島（図示外）において該パチンコ機１０の機種等に従って設置されており、また台番号により該パチンコ機１０を個々に特定可能とされている。
【００３５】
このパチンコ機１０は遊技機の一例であって、遊技媒体であるパチンコ玉を遊技領域に打ち込むことにより遊技を行うものである。ここで該遊技領域に打ち込まれたパチンコ玉が始動入賞口に入賞すると、遊技領域に設けられた可変表示装置が変動を開始して所定時間の経過後に該変動が停止し、スタート信号が出力される。また該可変表示装置の表示結果が予め定められた態様になると、遊技者にとって有利な遊技状態である大当り状態が発生して、大当り信号が出力される。さらに大当り状態の終了後に所定の条件が満たされると、遊技者にとって有利な遊技状態である普通有利状態（例えば時短状態）が発生する。
【００３６】
このパチンコ機１０は、該パチンコ機１０に対応して設けられたカードユニット（図示外）から払い出されて貸し出されたパチンコ玉を使用して遊技を行うもの（いわゆる現金機）でも良く、該パチンコ機１０に対応して設けられたカードユニット（図示外）との間でパチンコ玉の貸出に関する信号のやり取りを行い、該パチンコ機１０の内部から払い出されて貸し出されたパチンコ玉を使用して遊技を行うもの（いわゆるＣＲ機）でも良い。
【００３７】
なおパチンコ機１０がＣＲ機である場合には、前記可変表示装置の表示結果が予め定められた特定の態様になると、大当り状態が発生する確率が通常よりも向上する確率変動状態が発生する。そしてＣＲ機には、確率変動状態とならない大当り状態が終了したときに普通有利状態が発生するもの（いわゆるＣＲフルスペック機）や、確率変動状態中において発生した確率変動状態とならない大当り状態が終了したときに普通有利状態が発生するもの（いわゆるＣＲハーフスペック機）が含まれる。またＣＲ機には、前記可変表示装置の可変表示回数が比較的少ない回数を経過した後に確率変動状態が終了するもの（いわゆるＣＲ回数切り機）も含まれる。
【００３８】
また遊技場６は、後述する図１７（ａ）に示すように、該遊技場６に関する広告情報（ここでは新景品情報や周辺情報等）を、前記配信情報として、カード会社４に提供するものである。なお提供された広告情報は、カード会社４の情報配信装置５０において一旦記憶されて、後述する図１１（ｂ）に示す配信条件設定画面における表示内容に反映される。ここで新景品情報としては、当該遊技場６で新たに導入される各景品の広告期間及び広告詳細が提供される。また周辺情報としては、当該遊技場６の周辺に存在する各店舗等の広告詳細が提供される。なお図１では、遊技場６として遊技場Ａ〜Ｃの３つを示しているが、該遊技場６の数は任意である。また各遊技場Ａ〜Ｃ内の構成は同様であるため、以下においては、遊技場Ａ内の構成について説明する。
【００３９】
遊技機メーカー７Ａは、パチンコ機１０を製造する会社であり、後述する図１３に示すように、該製造するパチンコ機１０の機種に関する機種情報（ここでは各機種の大当り確率，大当り出玉，及びリーチデータ等）や、後述する図１７（ｂ）に示すように、該機種に関する広告情報を、前記配信情報として、カード会社４に提供するものである。なお提供された機種情報は、後述する図１３に示す機種属性情報ＤＢに記憶される。また提供された広告情報は、カード会社４の情報配信装置５０において一旦記憶されて、後述する図１１（ｂ）に示す配信条件設定画面における表示内容に反映される。また遊技機メーカー７Ａは、該機種の機種属性情報（ここでは各機種のシリーズ，メーカー，及びスペック等）も、カード会社４に対して提供するものである。なお提供された機種属性情報は、カード会社４の情報配信装置５０において一旦記憶されて、後述する図７に示す機種属性情報設定画面における表示内容に反映される。
【００４０】
広告代理店７Ｂは、広告主が提供する広告情報（ここでは各広告の広告期間，広告概要，及び広告詳細）を、前記配信情報として、カード会社４に提供するものである。なお提供された広告情報は、カード会社４の情報配信装置５０において一旦記憶され、後述する図１１に示す配信条件設定画面における表示内容に反映される。
【００４１】
呼出ランプ装置２０は遊技用装置の一例であって、パチンコ機１０に対応して（ここではパチンコ機１０の上部に隣接して）設けられ、該対応するパチンコ機１０で遊技を行う会員遊技者の会員ＩＤと、該対応するパチンコ機１０の台番号とを、遊技情報管理装置４０に対して送信するものである。この呼出ランプ装置２０は、横長の箱形の形状を呈するものであり、図３（ａ）に示すように、その前面に会員カード挿入口２３ａ，呼出ボタン２４，及びランプ２５を備え、図１及び図３（ｂ）に示すように、その内部に制御部２１，通信部２２，及び会員カードＲ／Ｗ２３を備えている。これら呼出ランプ装置２０に備えられる各機器は、図１に示すように接続されている。
【００４２】
制御部２１はＣＰＵ，ＲＡＭ，ＲＯＭ等を備え、ＲＯＭに記憶されている処理プログラムがＲＡＭを作業領域としてＣＰＵで実行されることにより、呼出ランプ装置２０に設けられる各構成要素の動作を制御して各種の処理を行うものである。このＲＡＭには、対応するパチンコ機１０の台番号が記憶されている。通信部２２は、遊技場管理装置４０の後述する場内通信部４２ａと通信可能に接続されており、呼出ランプ装置２０と遊技場管理装置４０との間における通信を司るものである。なお通信部２２は、図示しないが、パチンコ機１０とも通信可能に接続されている。
【００４３】
会員カードＲ／Ｗ２３は記録媒体受付手段の一例であって、会員カード３を受け付けて、該会員カード３から会員ＩＤを読み取るものであり、ここでは図３（ｂ）に示すように、会員カード挿入口２３ａから挿入された会員カード３を一部露出した状態で受け付けて、該会員カード３から会員ＩＤを読み取る。この会員カードＲ／Ｗ２３は、前記ＩＣカードである会員カード３に対応したＩＣカードＲ／Ｗを備えている。
【００４４】
呼出ボタン２４は、遊技場の店員を呼び出す操作を受け付けるものである。この呼出ボタン２４が操作されると、ランプ２５が発光されて、遊技場の店員が呼び出される。ディスプレイ２６は、パチンコ機１０から送信されてくるスタート信号や大当り信号等に基づいて、可変表示装置の可変表示回数（いわゆるスタート回数）や大当り状態の発生回数（いわゆる大当り回数）等の遊技情報を表示するものである。
【００４５】
以上に説明した呼出ランプ装置２０では、会員カードＲ／Ｗ２３により会員ＩＤが読み取られると、該読み取った会員ＩＤ（即ち対応するパチンコ機１０で遊技を行う会員遊技者の会員ＩＤ）と、制御部２１のＲＡＭに記憶されている台番号（即ち対応するパチンコ機１０の台番号）とが、通信部２２から遊技場管理装置４０に対して送信される。
【００４６】
ＰＯＳ装置３０は景品交換装置の一例であって、遊技場６内の所定箇所（例えば景品カウンタ）に設けられ、景品交換を行う会員遊技者の会員ＩＤと、該景品交換に供された景品の景品ＩＤとを、遊技場管理装置４０に対して送信するものである。このＰＯＳ装置３０は、図４に示すように、会員カードＲ／Ｗ３３，及びバーコードリーダ３４が接続（いわゆる外付け）されていると共に、その外部にディスプレイ３５等を備え、その内部に制御部３１，及び通信部３２等を備えるコンピュータである。これらＰＯＳ装置３０に備えられる各機器は、図１に示すように接続されている。
【００４７】
制御部３１はＣＰＵ，ＲＡＭ，ＲＯＭ等を備え、ＲＯＭに記憶されている処理プログラムがＲＡＭを作業領域としてＣＰＵで実行されることにより、ＰＯＳ装置３０に設けられる各構成要素の動作を制御して各種の処理を行うものである。通信部３２は、遊技場管理装置４０の後述する場内通信部４２ａと通信可能に接続されており、ＰＯＳ装置３０と遊技場管理装置４０との間における通信を司るものである。
【００４８】
会員カードＲ／Ｗ３３は記録媒体受付手段の一例であって、会員カード３を受け付けて、該会員カード３から会員ＩＤを読み取るものであり、ここでは図示しないが、会員カード挿入口３３ａから挿入された会員カード３を一部露出した状態で受け付けて、該会員カード３から会員ＩＤを読み取る。この会員カードＲ／Ｗ３３は、前記ＩＣカードである会員カード３に対応したＩＣカードＲ／Ｗを備えている。
【００４９】
バーコードリーダ３４は、会員遊技者がパチンコ機１０での遊技の結果として獲得したパチンコ玉数（以下「獲得玉数」という。）を特定可能なバーコードが記録された計数レシートから該バーコードを読み取ると共に、景品交換に供される景品の景品ＩＤ（ここでは１３桁の数字）を特定可能なバーコードが記録された景品から該バーコードを読み取るものである。
【００５０】
以上に説明したＰＯＳ装置３０では、バーコードリーダ３４により計数レシートのバーコードが読み取られると、該読み取ったバーコードから特定される獲得玉数の範囲内で景品交換が可能な状態となり、会員カードＲ／Ｗ３３により会員ＩＤが読み取られ、バーコードリーダ３４により景品のバーコードが読み取られて、ディスプレイ３５に表示された「景品交換」ボタンが操作されると、前記特定された獲得玉数と，前記読み取った会員ＩＤ（即ち景品交換を行う会員遊技者の会員ＩＤ）と、前記読み取った景品ＩＤ（即ち該景品交換に供された景品の景品ＩＤ）とが、通信部３２から遊技場管理装置４０に対して送信される。
【００５１】
遊技場管理装置４０は、情報配信装置５０と通信可能であり、遊技場６内の所定箇所（例えば管理事務所等）に設けられるものであり、図１に示すように接続される制御部４１，場内通信部４２ａ，場外通信部４２ｂ，ディスプレイ４３，入力装置４４，及びハードディスク４５等を備えるコンピュータである。
【００５２】
制御部４１はＣＰＵ，ＲＡＭ，ＲＯＭ等を備え、ハードディスク４５に記憶されている処理プログラムがＲＡＭを作業領域としてＣＰＵで実行されることにより、遊技場管理装置４０に設けられる各構成要素の動作を制御して各種の処理を行うものである。場内通信部４２ａは、前述の如く呼出ランプ装置２０の通信部２２，及びＰＯＳ装置３０の通信部３２と通信可能に接続されている。場外通信部４２ｂは、インターネット５を介して情報配信装置５０の後述する通信部５２と通信可能に接続されており、遊技場管理装置４０と情報配信装置５０との間における通信を司るものである。
【００５３】
ディスプレイ４３は各種の情報を表示するものであり、入力装置４４は各種の入力を受け付けるもの（例えばキーボードやマウス）である。これらディスプレイ４３及び入力装置４４は、遊技場６に設置されるパチンコ機１０の機種に関する設定を行うものである。具体的には、遊技場管理装置４０において機種設定モードが実行されると、図５（ａ）に示す機種設定画面がディスプレイ４３に表示される。この図５（ａ）に示す画面では、遊技場６に設置されるパチンコ機１０の機種名，該機種のパチンコ機１０を製造した遊技機メーカー７Ａ，該機種に属するパチンコ機１０の台数，及び該機種に属するパチンコ機１０の台番号を入力するための入力欄が表示される。ここで遊技場６の店員が、入力装置４４により各入力欄に入力した後に「設定」ボタンを操作すると、該入力欄に入力された内容が設定される。この設定内容は、後述する図６（ａ）に示す機種ＤＢの記憶内容に反映される。
【００５４】
またディスプレイ４３及び入力装置４４は、遊技場６で提供される景品に関する設定を行うものである。具体的には、遊技場管理装置４０において景品設定モードが実行されると、図５（ｂ）に示す景品設定画面がディスプレイ４３に表示される。この図５（ｂ）に示す画面では、遊技場６で提供される景品の景品ＩＤ，該景品の景品名，該景品の景品種類，該景品の景品詳細（メーカー，及び品目），該景品の交換に必要なパチンコ玉の数である交換玉数，及び該景品の交換に必要なメダルの数である交換メダル数を入力するための入力欄が表示される。ここで遊技場６の店員が、入力装置４４により各入力欄に入力した後に「設定」ボタンを操作すると、該入力欄に入力された内容が設定される。この設定内容は、後述する図６（ｂ）に示す景品ＤＢの記憶内容に反映されると共に、新景品に関する広告情報として、前述の如くカード会社４に提供される。
【００５５】
さらにディスプレイ４３及び入力装置４４は、遊技場６で開催されるイベント（催事）に関する設定を行うものである。具体的には、遊技場管理装置４０においてイベント設定モードが実行されると、図５（ｃ）に示すイベント設定画面がディスプレイ４３に表示される。この図５（ｃ）に示す画面では、遊技場６で開催されるイベントの日付，該イベントのイベント概要（タイトル，及び機種に関するイベントであれば機種名），及び該イベントについてのコメントを入力するための入力欄が表示される。ここで遊技場６の店員が、入力装置４４により各入力欄に入力した後に「設定」ボタンを操作すると、該入力欄に入力された内容が設定される。この設定内容は、後述する図６（ｃ）に示すイベントＤＢの記憶内容に反映される。
【００５６】
記憶装置であるハードディスク４５には、図６に示すように、機種ＤＢ，景品ＤＢ，及びイベントＤＢが記憶されている。機種ＤＢでは、図６（ａ）に示すように、遊技場６に設置されるパチンコ機１０の機種に関し、台番号と対応付けて、機種名，メーカー，及び台数が記憶されている。この機種ＤＢの記憶内容は、前記図５（ａ）に示す機種設定が行われたときに、前記設定された台番号に対応する機種名，メーカー，及び台数が書き換えられて更新され、該更新が行われたときに、設置機種情報として情報配信装置５０に対して送信される。なお送信された設置機種情報は、情報配信装置５０において一旦記憶されて、後述する図７に示す機種属性情報設定画面における表示内容に反映される。
【００５７】
景品ＤＢでは、図６（ｂ）に示すように、遊技場６で提供される景品に関し、景品ＩＤと対応付けて、景品種類，景品詳細（メーカー，及び品目），交換玉数，交換メダル数，及び当該景品が導入されてから所定期間内（例えば１週間以内）の新景品であるか否かが記憶されている。この景品ＤＢの記憶内容は、前記図５（ｂ）に示す景品設定が行われたときに、前記設定された景品に関する景品ＩＤ，景品詳細（メーカー，及び品目），交換玉数，及び交換メダル数が追加されて更新され、該更新が行われたときに、提供景品情報として情報配信装置５０に対して送信される。なお送信された提供景品情報は、情報配信装置５０において一旦記憶されて、後述する図９に示す景品属性情報設定画面における表示内容に反映される。
【００５８】
イベントＤＢでは、図６（ｃ）に示すように、遊技場６で開催されるイベントに関し、日付，イベント概要，及びコメントが記憶されている。このイベントＤＢの記憶内容は、前記図５（ｃ）に示すイベント設定が行われたときに、前記設定されたイベントに関する日付，イベント概要，及びコメントが追加されて更新され、該更新が行われたときに、開催イベント情報として情報配信装置５０に対して送信される。なお送信された開催イベント情報は、情報配信装置５０において一旦記憶されて、後述する図１０（ａ）に示す配信条件設定画面における表示内容に反映される。
【００５９】
以上に説明した遊技場管理装置４０では、呼出ランプ装置２０から会員ＩＤと台番号を受信したときに、該受信した台番号と対応付けて図６（ａ）に示す機種ＤＢで記憶されている機種名が特定され、前記受信した会員ＩＤ（即ちパチンコ機１０で遊技を行った会員遊技者の会員ＩＤ）と、該特定した機種名（即ち会員遊技者が遊技を行ったパチンコ機１０の機種特定情報）とを含む遊技機種情報が、情報配信装置５０に対して送信されると共に、前記受信した会員ＩＤと、会員遊技者が当該遊技場６に来店した旨を示す来店情報も、情報配信装置５０に対して送信される。
【００６０】
また遊技場管理装置４０では、ＰＯＳ装置３０から獲得玉数と会員ＩＤと景品ＩＤを受信したときに、該受信した景品ＩＤと対応付けて図６（ｂ）に示す景品ＤＢで記憶されている交換玉数が該受信した獲得玉数の範囲内であるか否か、即ち景品交換を許諾するか否かの判断が行われる。ここで交換玉数が獲得玉数の範囲内でない（交換玉数＞獲得玉数）と判断された場合には、景品交換を許諾しない旨を示す信号がＰＯＳ装置３０に対して返信される。一方、交換玉数が獲得玉数の範囲内である（交換玉数≦獲得玉数）と判断された場合には、景品交換を許諾する旨を示す信号がＰＯＳ装置３０に対して返信されると共に、前記受信した会員ＩＤ（即ち景品交換を行った会員遊技者の会員ＩＤ）と、前記受信した景品ＩＤと対応付けて図６（ｂ）に示す景品ＤＢで記憶されている景品種類，及び景品詳細（即ち会員遊技者が景品交換を行った景品の景品特定情報）とを含む景品交換情報が、情報配信装置５０に対して送信される。
【００６１】
［２．情報配信装置５０の構成］
情報配信装置５０は、カード会社４に設けられるものであり、図１に示すように接続される制御部５１，通信部５２，ディスプレイ５３，入力装置５４，及びハードディスク５５等を備えるコンピュータである。
【００６２】
制御部５１はＣＰＵ，ＲＡＭ，ＲＯＭ等を備え、ハードディスク４５に記憶されている処理プログラムがＲＡＭを作業領域としてＣＰＵで実行されることにより、情報配信装置５０に設けられる各構成要素の動作を制御して各種の処理を行うものであるが、その機能の詳細については後述する。
【００６３】
通信部５２は、前述の如く、インターネット５を介して、パソコン１，携帯電話端末２，遊技機メーカー７Ａ，広告代理店７Ｂ，及び遊技場管理装置４０の場外通信部４２ａと通信可能に接続されている。この通信部５２は遊技機種情報受信手段の一例であって、前述の如く遊技場管理装置４０から遊技機種情報を受信するものである。また通信部５２は来店情報受信手段の一例であって、前述の如く遊技場管理装置４０から来店情報を受信するものである。さらに通信部５２は景品交換情報受信手段の一例であって、前述の如く遊技場管理装置４０から景品交換情報を受信するものである。
【００６４】
また通信部５２は、会員遊技者特定情報受付手段の一例であって、会員ＩＤを受け付ける（受信する）ものであると共に、配信要求受付手段の一例でもあって、会員遊技者が操作する情報端末から配信情報の配信要求を受け付ける（受信する）ものであり、具体的には、前記図２のＤ１に示すように、パソコン１又は携帯電話端末２から送信されてくる会員ＩＤと配信要求を受信する。また通信部５２は情報配信手段の一例であって、後述する配信情報抽出手段により抽出した配信情報を、前記会員遊技者特定情報受付手段により受け付けた会員ＩＤから特定される会員遊技者が操作する情報端末に対して配信するものであり、具体的には、前記図２のＤ２，Ｄ３に示すように、会員遊技者の遊技嗜好等を反映した配信情報をパソコン１又は携帯電話端末２に対して配信する。
【００６５】
ディスプレイ５３は各種の情報を表示するものであり、入力装置５４は各種の入力を受け付けるもの（例えばキーボードやマウス）である。これらディスプレイ５３及び入力装置５４は機種属性情報設定手段の一例であって、パチンコ機１０の機種を特定するための機種特定情報と、該機種特定情報から特定される機種の機種属性情報とを設定するものであり、ここでは各機種毎に、当該機種に関する複数の機種属性情報を設定できる。具体的には、カード会社４の社員の操作により、情報配信装置５０において機種属性情報設定モードが実行されると、図７（ａ）に示す機種属性情報設定画面がディスプレイ５３に表示される。この図７（ａ）に示す画面では、前述の如く各遊技場６の遊技場管理装置４０から送信されて一旦記憶されている設置機種情報に基づいて、遊技場Ａ〜Ｃのいずれかに設置されているパチンコ機１０の機種名を示すボタンが表示される。ここでカード会社４の社員が、入力装置５４によりいずれかのボタン（ここでは「CR.AA.JX」ボタン）を操作すると、図７（ｂ）に示す機種属性情報設定画面がディスプレイ５３に表示される。
【００６６】
この図７（ｂ）に示す画面では、前記機種特定情報として、当該機種の機種名を設定するための入力欄と、前記複数の機種属性情報として、当該機種のシリーズ，メーカー，スペック（前述したＣＲフルスペック機，ＣＲハーフスペック機，ＣＲ回転切り機，又は現金機），及びモチーフ（ここでは３項目まで）を設定するための入力欄が表示される。ここで機種名の入力欄には、前記図７（ａ）に示す画面で操作されたボタンに対応する機種名が予め表示され、シリーズ，メーカー，及びスペックの入力欄には、前述の如く遊技機メーカー７Ａから提供されて一旦記憶されている機種情報に基づいて、当該機種のシリーズ，メーカー，及びスペックが予め表示される。なおモチーフの入力欄には、当初は何も表示されていない。ここでカード会社４の社員が、入力装置５４によりシリーズ，メーカー，及びスペックの入力欄に予め表示されている内容を必要に応じて変更し（ただし通常は変更の必要はない）、かつモチーフの入力欄に入力した後に「設定」ボタンを操作すると、該入力欄に入力された内容が設定される。この設定内容は、後述する図１３に示す機種属性情報ＤＢに記憶される。
【００６７】
またディスプレイ５３及び入力装置５４は遊技場属性情報設定手段の一例であって、遊技場６を特定するための遊技場特定情報と、該遊技場６の遊技場属性情報とを設定するものである。具体的には、カード会社４の社員の操作により、情報配信装置５０において遊技場属性情報設定モードが実行されると、図８（ａ）に示す遊技場属性情報設定画面がディスプレイ５３に表示される。この図８（ａ）に示す画面では、情報配信装置５０と通信可能に接続されている遊技場の遊技場ＩＤを示すボタンが表示される。ここでカード会社４の社員が、入力装置５４によりいずれかのボタン（ここでは「遊技場Ａ」ボタン）を操作すると、図８（ｂ）に示す遊技場属性情報設定画面がディスプレイ５３に表示される。
【００６８】
この図８（ｂ）に示す画面では、前記遊技場特定情報として、遊技場ＩＤを設定するための入力欄と、前記遊技場属性情報として、当該遊技場の遊技場名，及び当該遊技場が存在する地区を設定するための入力欄が表示される。ここで遊技場ＩＤの入力欄には、前記図８（ａ）に示す画面で操作されたボタンに対応する遊技場ＩＤが予め表示される。なお遊技場名，及び地区の入力欄には当初は何も表示されていない。ここでカード会社４の社員が、入力装置５４により遊技場名，及び地区の入力欄に入力した後に「設定」ボタンを操作すると、該入力欄に入力された内容が設定される。この設定内容は、後述する図１４に示す遊技場属性情報ＤＢに記憶される。
【００６９】
さらにディスプレイ５３及び入力装置５４は景品属性情報設定手段の一例であって、景品の種類を少なくとも特定するための景品特定情報と、該景品特定情報から特定される景品の景品属性情報とを設定するものである。具体的には、カード会社４の社員の操作により、情報配信装置５０において景品属性情報設定モードが実行されると、図９（ａ）に示す景品属性情報設定画面がディスプレイ５３に表示される。この図９（ａ）に示す画面では、前述の如く各遊技場６の遊技場管理装置４０から送信されて一旦記憶されている提供景品情報に基づいて、遊技場Ａ〜Ｃのいずれかで提供されている景品の景品名を示すボタンが表示される。ここでカード会社４の社員が、入力装置５４によりいずれかのボタンを操作すると、図９（ｂ）に示す景品属性情報設定画面がディスプレイ５３に表示される。
【００７０】
この図９（ｂ）に示す画面では、前記一旦記憶されている景品提供情報に基づいて、前記図９（ａ）に示す画面で操作されたボタンに対応する景品名，当該景品名に対応する景品ＩＤ，及び当該景品が提供される提供遊技場が表示されると共に、前記景品特定情報及び前記景品属性情報（即ち景品特定情報と景品属性情報が共通）として、当該景品の景品種類，及び景品詳細（メーカー及び品目）を設定するための入力欄が表示される。ここで景品種類，及び景品詳細の入力欄には、前記一旦記憶されている景品提供情報に基づいて、当該景品の景品種類，及び景品詳細が予め表示される。ここでカード会社４の社員が、入力装置５４により景品種類，及び景品詳細の入力欄に予め表示されている内容を必要に応じて変更した後に（ただし通常は変更の必要はない）「設定」ボタンを操作すると、該入力欄に入力された内容が設定される。この設定内容は、後述する図１５に示す景品属性情報ＤＢに記憶される。
【００７１】
さらにディスプレイ５３及び入力装置５４は配信情報設定手段の一例であって、会員遊技者に配信するための配信情報（機種情報，イベント情報，及び広告情報）と、当該配信情報の配信対象となる機種属性情報，遊技場属性情報，景品属性情報とを配信情報に応じて設定するものであり、ここでは各配信情報に対応付けて、配信対象となる複数の機種属性情報を設定できる。
【００７２】
具体的には、まずカード会社４の社員の操作により、情報配信装置５０においてイベント情報に関する配信条件設定モードが実行されると、図１０（ａ）に示す配信条件設定画面がディスプレイ５３に表示される。この図１０（ａ）に示す画面では、前述の如く遊技場管理装置４０から送信されて一旦記憶されている開催イベント情報に基づき、各遊技場６で開催される各イベントについて、当該遊技場６の遊技場ＩＤと対応付けて、当該イベントの日付，イベント概要（タイトル，及び機種に関するイベントであれば機種名），及びコメントが一覧表示される。ここでカード会社４の社員が、入力装置５４により機種に関するイベントのいずれか（ここでは遊技場Ａで２００４年１月２６日に開催される機種CR.AA.JXに関する甘釘イベント）を選択すると、図１０（ｂ）に示す配信条件設定画面がディスプレイ５３に表示される。
【００７３】
この図１０（ｂ）に示す画面では、前記図１０（ａ）に示す画面で選択されたイベントについて、当該イベントが開催される遊技場ＩＤと当該イベントの日付，イベント概要（ここではタイトル及び機種名），及びコメントが表示されると共に、当該機種に関するイベント情報の配信対象となる機種属性情報として、機種のシリーズ，メーカー，スペック，及びモチーフを設定するための入力欄と、当該機種に関するイベント情報の配信対象となる遊技場属性情報として、遊技場名を設定するための入力欄が表示される。
【００７４】
このシリーズ，メーカー，スペック，及びモチーフの入力欄には、後述する図１３に示す機種属性情報ＤＢで記憶されているシリーズ，メーカー，スペック，及びモチーフがプルダウンメニューで表示され、該表示されるプルダウンメニューのうちのいずれかを入力可能であるが、ここでは後述する図１３に示す機種属性情報ＤＢで当該イベントが開催される機種の機種名と対応付けられているシリーズ，メーカー，スペック，及びモチーフが予め表示される。また遊技場名の入力欄には、後述する図１４に示す遊技場属性情報ＤＢで記憶されている遊技場名がプルダウンメニューで表示され、該表示されるプルダウンメニューのうちのいずれかを入力可能であるが、ここでは後述する図１４に示す遊技場属性情報ＤＢで当該イベントが開催される遊技場６の遊技場ＩＤと対応付けられている遊技場名が予め表示される。ここでカード会社４の社員が、入力装置５４により各入力欄に予め表示されている内容を必要に応じて変更した後に（ただし通常は変更の必要はない）「設定」ボタンを操作すると、該入力欄に入力された内容が設定される。この設定内容は、後述する図１６に示すイベント情報ＤＢに記憶される。
【００７５】
なお前記図１０（ａ）に示す画面で、カード会社４の社員が、入力装置５４により遊技場６に関するいずれかのイベント（ここでは遊技場Ａで２００４年１月２６日に開催される大当り競争イベント）をクリックすると、図１０（ｂ’）に示す配信条件設定画面がディスプレイ５３に表示される。
【００７６】
この図１０（ｂ’）に示す画面では、前記図１０（ｂ）と同様に、前記図１０（ａ）に示す画面で選択されたイベントについての遊技場ＩＤ，日付，イベント概要（ここではタイトルのみ），及びコメントが表示されると共に、機種属性情報として、機種のシリーズ，メーカー，スペック，及びモチーフを設定するための入力欄と、遊技場属性情報として、遊技場名を設定するための入力欄が表示される。
【００７７】
ただし当該イベントは機種に関するイベントではないため、前記図１０（ｂ）とは異なり、機種属性情報の入力欄には、何も表示されない。一方、前記図１０（ｂ）と同様に、遊技場名の入力欄には、当該イベントが開催される遊技場６の遊技場名が予め表示される。ここでカード会社４の社員が、入力装置５４により遊技場名の入力欄に予め表示されている内容を必要に応じて変更した後に（ただし通常は変更の必要はない）「設定」ボタンを操作すると、該入力欄に入力された内容が設定される。この設定内容も、後述する図１６に示すイベント情報ＤＢに記憶される。
【００７８】
次にカード会社４の社員の操作により、情報配信装置５０において広告情報に関する配信条件設定モードが実行されると、図１１（ａ）に示す配信条件設定画面がディスプレイ５３に表示される。この図１１（ａ）に示す画面では、配信条件を設定する広告情報の種類を選択するためのボタンとして、「遊技場」ボタン，「遊技機メーカー」ボタン，及び「広告代理店」ボタンが表示される。カード会社４の社員が、入力装置５４により「遊技場」ボタンを操作すると、遊技場６が提供する広告情報に関する配信条件設定モードが実行されて、図１１（ｂ）に示す配信条件設定画面がディスプレイ５３に表示される。
【００７９】
この図１１（ｂ）に示す画面では、前述の如く遊技場管理装置４０から送信されて一旦記憶されている広告情報に基づき、各遊技場６で提供される各広告について、当該遊技場６の遊技場ＩＤと対応付けて、当該広告の広告期間，広告概要，及び広告詳細が一覧表示される。ここでカード会社４の社員が、入力装置５４により遊技場６に関する広告のいずれか（ここでは遊技場Ａで提供されるゴルフ  Ｍ社  ヘッドカバーに関する新景品情報）を選択すると、図１１（ｃ）に示す配信条件設定画面がディスプレイ５３に表示される。
【００８０】
この図１１（ｃ）に示す画面では、前記図１１（ｂ）に示す画面で選択された広告について、当該広告が提供される遊技場６の遊技場ＩＤと、当該広告の広告期間，広告概要，及び広告詳細が表示されると共に、当該遊技場６が提供する広告情報について、該広告情報の配信対象となる機種属性情報として、機種のモチーフを設定するための入力欄と、該広告情報の配信対象となる遊技場属性情報として、遊技場名を設定するための入力欄と、該広告情報の配信対象となる景品属性情報として、景品種類を設定するための入力欄が表示される。
【００８１】
このモチーフの入力欄には、後述する図１３に示す機種属性情報ＤＢで記憶されているモチーフがプルダウンメニューで表示され、該表示されるプルダウンメニューのうちのいずれかを入力可能である。また遊技場名の入力欄には、後述する図１４に示す遊技場属性情報ＤＢで記憶されている遊技場名がプルダウンメニューで表示され、該表示されるプルダウンメニューのうちのいずれかを入力可能であるが、ここでは後述する図１４に示す遊技場属性情報ＤＢで当該広告が提供される遊技場６の遊技場ＩＤと対応付けられている遊技場名が予め表示される。さらに景品種類の入力欄には、後述する図１５に示す景品属性情報ＤＢで記憶されている景品種類がプルダウンメニューで表示され、該表示されるプルダウンメニューのうちのいずれかを入力可能である。ここでカード会社４の社員が、入力装置５４によりモチーフ及び景品種類の入力欄に入力し、遊技場名の入力欄に予め表示されている内容を必要に応じて変更した後に（ただし通常は変更の必要はない）「設定」ボタンを操作すると、該入力欄に入力された内容が設定される。この設定内容は、後述する図１７（ａ）に示す広告情報ＤＢに記憶される。
【００８２】
なお図示しないが、図１１（ａ）に示す画面で、カード会社４の社員が、入力装置５４により「遊技機メーカー」ボタンを操作すると、遊技機メーカー７Ａが提供する広告情報に関する配信条件設定モードが実行され、当該遊技機メーカー７Ａが提供する広告情報について、前記図１１（ｃ）に示すのと同様にして、該広告情報の配信対象となる機種属性情報として、機種のメーカーとモチーフが設定可能となり、該広告情報の配信対象となる景品属性情報として、景品種類を設定可能となる。この設定内容は、後述する図１７（ｂ）に示す広告情報ＤＢに記憶される。
【００８３】
また図示しないが、図１１（ａ）に示す画面で、カード会社４の社員が、入力装置５４により「広告代理店」ボタンを操作すると、広告代理店７Ｂが提供する広告情報に関する配信条件設定モードが実行され、当該広告代理店７Ｂが提供する広告情報について、前記図１１（ｃ）に示すのと同様にして、該広告情報の配信対象となる機種属性情報として、機種のモチーフが設定可能となり、該広告情報の配信対象となる遊技場属性情報として、地区が設定可能となり、該広告情報の配信対象となる景品属性情報として、景品種類を設定可能となる。この設定内容は、後述する図１７（ｃ）に示す広告情報ＤＢに記憶される。
【００８４】
なお広告情報のうちの機種情報については、カード会社４の社員による設定操作を経ることなく、前述の如く遊技機メーカー７Ａから送信されてきた機種情報と機種属性情報とが対応付けて自動的に設定され、後述する図１３に示す機種属性情報ＤＢに記憶される。
【００８５】
記憶装置であるハードディスク５５には、図１２〜図１８に示すように、会員情報ＤＢ，機種属性情報ＤＢ，遊技場属性情報ＤＢ，景品属性情報ＤＢ，イベント情報ＤＢ，広告情報ＤＢ，及び会員履歴ＤＢが記憶されている。ここで機種属性情報ＤＢ，イベント情報ＤＢ，及び広告情報ＤＢは配信情報記憶手段の一例であって、前記配信情報設定手段で設定された配信情報と当該配信情報の配信対象となる機種属性情報（複数の機種属性情報），遊技場属性情報，景品属性情報とを対応付けて、複数の配信情報を記憶するものである。
【００８６】
会員情報ＤＢは会員遊技者特定情報記憶手段の一例であって、会員遊技者を個々に特定可能な会員遊技者特定情報を記憶するものである。この会員情報ＤＢでは、図１２に示すように、各遊技場６毎に、会員遊技者特定情報である会員ＩＤと対応付けて、会員属性情報としてパスワード，氏名，住所，性別，生年月日，及び電子メールアドレスが記憶されている。この会員情報ＤＢの記憶内容は、会員登録が行われることで前述の如く遊技場管理装置４０から送信されてきた会員ＩＤと会員属性情報に基づいて更新される。なお会員登録は各遊技場６毎に行われるため、仮に同一の人物であっても、各遊技場６毎に別個の会員遊技者として登録されるが、会員属性情報が一致する会員遊技者（ここでは会員ＩＤがA-0001とB-0123である会員遊技者）については、同一の人物として特定される。
【００８７】
機種属性情報ＤＢは機種属性情報記憶手段の一例であって、前記機種属性情報設定手段で設定された各機種の機種特定情報と機種属性情報とを対応付けて記憶するものである。また機種属性情報ＤＢは前記配信情報記憶手段の一例でもあって、ここでは配信情報である機種情報と当該機種情報の配信対象となる複数の機種属性情報とを対応付けて、複数の機種情報を記憶するものである。この機種属性情報ＤＢでは、図１３に示すように、各機種毎に、機種特定情報である機種名と対応付けて、機種情報として大当り確率，大当り出玉，及びリーチデータ等が記憶されていると共に、複数の機種属性情報としてシリーズ，メーカー，スペック，及びモチーフが記憶されており、さらに各遊技場６における設置状況（設置されている遊技場６に○印）も記憶されている。この機種属性情報ＤＢの記憶内容は、前述の如く遊技機メーカー７Ａから送信されてきた機種情報に基づいて更新されると共に、前記図７（ｂ）に示す設定に基づいて更新される。
【００８８】
遊技場属性情報ＤＢは遊技場属性情報記憶手段の一例であって、前記遊技場属性情報設定手段で設定された各遊技場６の遊技場特定情報と遊技場属性情報とを対応付けて記憶するものである。この遊技場属性情報ＤＢでは、図１４に示すように、各遊技場６毎に、遊技場特定情報である遊技場ＩＤと対応付けて、遊技場属性情報として遊技場名，及び地区が記憶されている。この遊技場属性情報ＤＢは、前記図８（ｂ）に示す設定に基づいて更新される。
【００８９】
景品属性情報ＤＢは景品属性情報記憶手段の一例であって、前記景品属性情報設定手段で設定された各景品の景品特定情報と景品属性情報とを対応付けて記憶するものである。この景品属性情報ＤＢでは、図１５に示すように、各景品毎に、景品ＩＤと対応付けて、景品特定情報及び景品属性情報として景品種類，及び景品詳細（メーカー，及び品目）が記憶されていると共に、各遊技場６における提供状況（提供されている遊技場６に○印）も記憶されている。この景品属性情報ＤＢの記憶内容は、前記図９（ｂ）に示す設定に基づいて更新される。
【００９０】
イベント情報ＤＢは前記配信情報記憶手段の一例であって、ここでは配信情報であるイベント情報と当該イベント情報の配信対象となる複数の機種属性情報，及び遊技場属性情報とを対応付けて、複数のイベント情報を記憶するものである。このイベント情報ＤＢでは、図１６に示すように、各イベント毎に、イベント情報として遊技場ＩＤ，日付，イベント概要（タイトル，及び機種に関するイベントであれば機種名），及びコメントが記憶されていると共に、当該各イベント情報と対応付けて、複数の機種属性情報としてシリーズ，メーカー，スペック，及びモチーフが記憶され、遊技場属性情報として遊技場名が記憶されている。このイベント情報ＤＢの記憶内容は、前記図１０（ｂ）（ｂ’）に示す設定に基づいて更新される。
【００９１】
広告情報ＤＢも前記配信情報記憶手段の一例であって、ここでは配信情報である広告情報と当該広告情報の配信対象となる機種属性情報，遊技場属性情報，景品属性情報とを対応付けて、複数の広告情報を記憶するものであり、該広告情報の提供元に応じた３種類のＤＢが設けられている。この広告情報ＤＢの記憶内容は、前記図１１（ｃ）に示す設定に基づいて更新される。
【００９２】
まず第１の広告情報ＤＢは、図１７（ａ）に示すように、遊技場６が提供する広告情報と当該広告情報の配信対象となる機種属性情報，遊技場属性情報，及び景品属性情報とを対応付けて、複数の広告情報を記憶するものである。具体的には、各広告毎に、広告情報として遊技場ＩＤ，広告期間，広告概要，及び広告詳細が記憶されていると共に、当該各広告情報と対応付けて、機種属性情報としてモチーフが記憶され、遊技場属性情報として遊技場名が記憶され、景品属性情報として景品種類が記憶されている。
【００９３】
また第２の広告情報ＤＢは、図１７（ｂ）に示すように、遊技機メーカー７Ａが提供する広告情報と当該広告情報の配信対象となる機種属性情報，及び景品属性情報とを対応付けて、複数の広告情報を記憶するものである。具体的には、各広告毎に、広告情報として遊技機メーカー７Ａ，広告期間，広告概要，及び広告詳細が記憶されていると共に、当該各広告情報と対応付けて、機種属性情報としてメーカー，及びモチーフが記憶され、景品属性情報として景品種類が記憶されている。
【００９４】
さらに第３の広告情報ＤＢは、図１７（ｃ）に示すように、広告代理店７Ｂが提供する広告情報と当該広告情報の配信対象となる機種属性情報，遊技場属性情報，及び景品属性情報とを対応付けて、複数の広告情報を記憶するものである。具体的には、各広告毎に、広告情報として広告主，広告期間，広告概要，及び広告詳細が記憶されていると共に、当該各広告情報と対応付けて、機種属性情報としてモチーフが記憶され、遊技場属性情報として地区が記憶され、景品属性情報として景品種類が記憶されている。
【００９５】
会員履歴ＤＢは来店情報記憶手段の一例であって、前記来店情報受信手段により受信した会員ＩＤを前記図１２に示す会員情報ＤＢの記憶内容から特定し、該特定した会員ＩＤと対応付けて前記受信した来店情報（日付）を記憶するものである。また会員履歴ＤＢは遊技機種情報記憶手段の一例であって、前記遊技機種情報受信手段により受信した遊技機種情報に含まれる会員ＩＤを前記図１２に示す会員情報ＤＢの記憶内容から特定し、該特定した会員ＩＤと対応付けて前記受信した遊技機種情報に含まれる機種特定情報（機種名）を記憶するものである。さらに会員履歴ＤＢは景品交換情報記憶手段の一例であって、前記景品交換情報受信手段により受信した景品交換情報に含まれる会員ＩＤを前記図１２に示す会員情報ＤＢの記憶内容から特定し、該特定した会員ＩＤと対応付けて前記受信した景品交換情報に含まれる景品特定情報（景品種類及び景品詳細）を記憶するものである。
【００９６】
この会員履歴ＤＢには、図１８に示すように、会員ＩＤ毎のデータテーブルが設けられており、各データテーブルでは、来店情報として、会員遊技者が遊技場６に来店した日付が記憶され、遊技機種情報として、当該日付に会員遊技者が遊技を行ったパチンコ機１０の機種名が記憶され、景品交換情報として、当該日付に会員遊技者が交換を行った景品の景品種類と景品詳細（メーカー及び品目）が記憶されている。
【００９７】
この会員履歴ＤＢの記憶内容のうち、日付については、前記来店情報を当日の最初に受信したときに、該来店情報と共に受信した会員ＩＤのデータテーブルにおいて、当該日付が記憶される。また機種名については、前記遊技機種情報を受信したときに、該受信した遊技機種情報に含まれる会員ＩＤのデータテーブルにおいて、該受信した遊技機種情報に含まれる機種名が記憶される。なお一日のうちに複数の機種で遊技が行われた場合には、当日の日付に対応付けて、該複数の機種名が記憶される。また景品種類及び景品詳細については、前記景品交換情報を受信したときに、該受信した景品交換情報に含まれる会員ＩＤのデータテーブルにおいて、該受信した景品交換情報に含まれる景品種類及び景品詳細が記憶される。なお一日のうちに複数の景品について景品交換が行われた場合には、当日の日付に対応付けて、該複数の景品について景品種類及び景品詳細が記憶される。
【００９８】
ここで前記制御部５１は会員遊技場特定手段の一例であって、前記会員遊技者特定情報受付手段により受け付けた会員ＩＤから特定される会員遊技者が登録を行っているすべての遊技場６を特定するものである。具体的には、前記図２のＤ１に示すように、会員遊技者が操作するパソコン１又は携帯電話端末２から送信されてくる会員ＩＤ（ここではA-0001）と配信要求を受信したときに、図１２に示す会員情報ＤＢの記憶内容から該受信した会員ＩＤに対応する会員属性情報を抽出し、図１２に示す会員情報ＤＢの記憶内容から該抽出した会員属性情報の全部が合致する会員ＩＤ（ここではB-0123）をすべて特定することにより、当該会員遊技者が登録を行っているすべての遊技場６（ここでは遊技場Ａと遊技場Ｂ）を特定する。なお抽出した会員属性情報の全部が合致する会員ＩＤを特定するのではなく、抽出した会員属性情報の一部（例えば生年月日と電子メールアドレス）が合致する会員ＩＤを特定するようにしても良い。
【００９９】
また前記制御部５１は算出手段の一例であって、前記来店情報記憶手段（図１８に示す会員履歴ＤＢ）で記憶されている来店情報（日付）に基づいて、前記会員遊技場特定手段により特定した各遊技場別の来店頻度を算出する算出処理を行い、また前記遊技機種情報記憶手段（図１８に示す会員履歴ＤＢ）の記憶内容に基づいて、各会員ＩＤ毎に、機種特定情報（機種名）別の遊技頻度を算出する算出処理を行い、さらに前記景品交換情報記憶手段（図１８に示す会員履歴ＤＢ）の記憶内容に基づいて、各会員ＩＤ毎に、景品特定情報（景品種類）別の交換頻度を算出する算出処理を行うものである。
【０１００】
ここで算出手段として機能する制御部５１は、現在から予め定めた過去の所定期間（例えば１ヶ月間）について前記算出処理を行う。このように、現在から予め定めた過去の所定期間について来店頻度，遊技頻度，及び交換頻度を算出する算出処理を行うことから、現状の会員遊技者の嗜好を反映した情報を提供できるので、該情報を提供するウェブサイトへのアクセス回数をさらに向上させることができる。なお所定期間は、任意に設定変更可能である。
【０１０１】
また前記制御部５１は特定手段の一例であって、前記算出手段による算出結果に基づいて、前記会員遊技場特定手段により特定したすべての遊技場６のうちの、前記来店頻度が高い遊技場６を特定する特定処理を行い、また前記算出手段による算出結果に基づいて、前記会員遊技者特定情報受付手段（通信部５２）により受け付けた会員ＩＤと対応付けて前記遊技機種情報記憶手段（図１８に示す会員履歴ＤＢ）で記憶されている機種特定情報（機種名）のうちの、前記遊技頻度が高い機種特定情報を特定する特定処理を行い、さらに前記算出手段による算出結果に基づいて、前記会員遊技者特定情報受付手段（通信部５２）により受け付けた会員ＩＤと対応付けて前記景品交換情報記憶手段（図１８に示す会員履歴ＤＢ）で記憶されている景品特定情報（景品種類）のうちの、前記交換頻度が高い景品特定情報を特定する特定処理を行うものである。
【０１０２】
ここで特定手段として機能する制御部５１は、会員遊技者が操作する情報端末（パソコン１又は携帯電話端末２）から送信されてくる配信要求を受信したことに基づいて、前記特定処理を行う。このように、会員遊技者から配信情報の配信要求を受け付けたことに基づいて、来店頻度が高い遊技場や遊技頻度が高い機種や交換頻度が高い景品を特定する特定処理を行うことから、すべての会員遊技者について該特定処理を行う必要がなくなるので、処理負担を軽減することができる。
【０１０３】
これら算出手段及び特定手段として機能する制御部５１の作用（即ち算出処理及び特定処理）について、図１９を参照して具体的に説明する。まず算出手段として機能する制御部５１は、前記図２のＤ１に示すように、会員遊技者が操作するパソコン１又は携帯電話端末２から送信されてくる会員ＩＤ（ここではA-0001）と配信要求を受信したことに基づいて、図１８に示す会員履歴ＤＢの記憶内容から、該受信した会員ＩＤ（ここではA-0001）に対応する日付，機種名，及び景品種類と、前記会員遊技場特定手段により特定された会員ＩＤ（ここではB-0123）に対応する日付，機種名，及び景品種類とを、過去１ヶ月分抽出する。
【０１０４】
次に算出手段として機能する制御部５１は、図１９に示すように、前記抽出した日付を遊技場別にカウントすることにより、遊技場別の来店頻度（ここでは来店回数）を算出する。また前記抽出した機種名を機種名別にカウントすることにより、機種名別の遊技頻度（ここでは遊技回数）を算出する。さらに前記抽出した景品種類を景品種類別にカウントすることにより、景品種類別の交換頻度（ここでは交換回数）を算出する。
【０１０５】
そして特定手段として機能する制御部５１は、前記算出手段により算出された遊技場別の来店頻度に基づいて、来店頻度が高い順に各遊技場の順位付けを行い、最も来店頻度が高い遊技場（ここでは遊技場Ａ）を特定する。また前記算出手段により算出された機種名別の遊技頻度に基づいて、遊技頻度が高い順に各機種名の順位付けを行い、最も遊技頻度が高い機種名（ここではCR.XX.JX）を特定する。さらに前記算出手段により算出された景品種類別の交換頻度に基づいて、交換頻度が高い順に各景品種類の順位付けを行い、最も交換頻度が高い景品種類（ここではゴルフ）を特定する。
【０１０６】
また前記制御部５１は属性情報抽出手段の一例であって、前記遊技場属性情報記憶手段（図１４に示す遊技場属性情報ＤＢ）の記憶内容から前記特定手段により特定した遊技場６の遊技場特定情報（遊技場ＩＤ）と対応付けられている遊技場属性情報を抽出し、また前記機種属性情報記憶手段（図１３に示す機種属性情報ＤＢ）の記憶内容から前記特定手段により特定した機種特定情報（機種名）と対応付けられている機種属性情報（複数の機種属性情報）を抽出し、さらに前記景品属性情報記憶手段（図１５に示す景品属性情報ＤＢ）の記憶内容から前記特定手段により特定した景品特定情報（景品種類）と対応付けて記憶されている景品属性情報を抽出するものである。
【０１０７】
また前記制御部５１は他機種特定手段の一例であって、前記機種属性情報記憶手段（図１３に示す機種属性情報ＤＢ）の記憶内容に基づいて、前記属性情報抽出手段により抽出した機種属性情報と同一の機種属性情報を含む機種属性情報が対応付けられている他の機種の機種特定情報（機種名）を特定するものである。このとき前記属性情報抽出手段として機能する制御部５１は、前記機種属性情報記憶手段（図１３に示す機種属性情報ＤＢ）の記憶内容から該他機種特定手段により特定した他の機種の機種特定情報（機種名）と対応付けられている機種属性情報を抽出する。
【０１０８】
さらに前記制御部５１は配信情報抽出手段の一例であって、前記配信情報記憶手段（図１６に示すイベント情報ＤＢ，及び図１７に示す広告情報ＤＢ）で記憶されている複数の配信情報（イベント情報，及び広告情報）のうちの、前記属性情報抽出手段により抽出した遊技場属性情報と対応付けられている配信情報を抽出し、また前記配信情報記憶手段（図１３に示す機種属性情報ＤＢ，図１６に示すイベント情報ＤＢ，及び図１７に示す広告情報ＤＢ）で記憶されている複数の配信情報（機種情報，イベント情報，及び広告情報）のうちの、前記属性情報抽出手段により抽出した機種属性情報（複数の機種属性情報）と対応付けられている配信情報を抽出し、さらに前記配信情報記憶手段（図１７に示す広告情報ＤＢ）で記憶されている複数の配信情報（広告情報）のうちの、前記属性情報抽出手段により抽出した景品属性情報と対応付けられている配信情報を抽出するものである。
【０１０９】
これら属性情報抽出手段及び配信情報抽出手段として機能する制御部５１の作用（即ち属性情報抽出処理及び配信情報抽出処理）について、図２０〜図２３を参照して具体的に説明する。
【０１１０】
まず、図２０は、来店頻度が高い遊技場６の遊技場特定情報（ここでは遊技場Ａ）に基づいて行われる属性情報抽出処理及び配信情報抽出処理の一例を表す図である。前記図１９に示すように、来店頻度が高い遊技場６の遊技場特定情報（遊技場ＩＤ）として遊技場Ａが特定されると、属性情報抽出手段として機能する制御部５１は、図２０（ａ）に示すように、図１４に示す遊技場属性情報ＤＢの記憶内容から、前記特定された遊技場６の遊技場ＩＤ（遊技場Ａ）と対応付けられている遊技場属性情報として、遊技場名（○○ホール），及び地区（渋谷）を抽出する。
【０１１１】
次に配信情報抽出手段として機能する制御部５１は、図２０（ｂ１）に示すように、図１６に示すイベント情報ＤＢで記憶されている複数のイベント情報のうちの、前記属性情報抽出手段により抽出した遊技場属性情報と対応付けられているイベント情報を抽出する。ここでは遊技場属性情報のうちの遊技場名（○○ホール）と対応付けられているイベント情報（即ち遊技場Ａで開催されるイベントに関するイベント情報）が抽出される。ここで抽出されたイベント情報は、前記情報配信手段（通信部５２）により、会員遊技者が操作するパソコン１又は携帯電話端末２に対して配信され、前記図２のＤ２に示すように、「○○ホール  イベント情報」として提供される。
【０１１２】
また配信情報抽出手段として機能する制御部５１は、図２０（ｂ２）に示すように、図１７（ａ）に示す広告情報ＤＢで記憶されている遊技場６が提供する複数の広告情報のうちの、前記属性情報抽出手段により抽出した遊技場属性情報と対応付けられている広告情報を抽出する。ここでは該遊技場属性情報のうちの遊技場名（○○ホール）と対応付けられている広告情報（即ち遊技場Ａが提供する広告情報）が抽出される。ここで抽出された広告情報は、前記情報配信手段（通信部５２）により、会員遊技者が操作するパソコン１又は携帯電話端末２に対して配信され、前記図２のＤ２に示すように、「○○ホール  新景品情報」，及び「○○ホール  周辺情報」として提供される。
【０１１３】
さらに配信情報抽出手段として機能する制御部５１は、図２０（ｂ２）に示すように、図１７（ｃ）に示す広告情報ＤＢで記憶されている広告代理店７Ｂが提供する複数の広告情報のうちの、前記属性情報抽出手段により抽出した遊技場属性情報と対応付けられている広告情報を抽出する。ここでは該遊技場属性情報のうちの地区（渋谷）と対応付けられている広告情報が抽出される。ここで抽出された広告情報は、前記情報配信手段（通信部５２）により、会員遊技者が操作するパソコン１又は携帯電話端末２に対して配信され、前記図２のＤ２に示すように、「渋谷地区  新規開店情報」として提供される。
【０１１４】
以上に説明した図２０に示すように、会員遊技者による来店頻度が高い遊技場６の遊技場属性情報に対応する配信情報を配信することから、該会員遊技者の来店状況を反映した情報を提供できるので、該情報を提供するウェブサイトへのアクセス回数を向上させることができる。
【０１１５】
次に、図２１は、遊技頻度が高い機種の機種特定情報（ここではCR.AA.JX）に基づいて行われる属性情報抽出処理及び配信情報抽出処理の一例を表す図であり、図２２は、図２１に続く図である。前記図１９に示すように、遊技頻度が高い機種の機種特定情報（機種名）としてCR.AA.JXが特定されると、属性情報抽出手段として機能する制御部５１は、図２１（ａ）に示すように、図１３に示す機種属性情報ＤＢの記憶内容から、前記特定された機種の機種名（CR.AA.JX）と対応付けられている機種属性情報として、シリーズ（AA），メーカー（Ｘ），スペック（ＣＲフルスペック機），及びモチーフ（映画，及びアドベンチャー）を抽出する。
【０１１６】
次に配信情報抽出手段として機能する制御部５１は、図２１（ｂ１）に示すように、図１３に示す機種属性情報ＤＢで記憶されている複数の機種情報のうちの、前記属性情報抽出手段により抽出した機種属性情報と対応付けられている機種情報を抽出する。ここで該機種属性情報のうちのいずれか一つの機種属性情報と対応付けられている機種情報を抽出すると、該抽出される機種情報の数が多数となって会員遊技者の遊技嗜好が確実に反映されないので、ここでは該機種属性情報のうちの複数の機種属性情報と対応付けられている機種情報（即ちAAシリーズに関する機種情報）が抽出される。このように、複数の機種属性情報に対応する配信情報を抽出して配信することから、会員遊技者の遊技嗜好をより確実に反映した情報を提供できるので、該情報を提供するウェブサイトへのアクセス回数をさらに向上させることができる。ここで抽出された機種情報は、前記情報配信手段（通信部５２）により、会員遊技者が操作するパソコン１又は携帯電話端末２に対して配信され、前記図２のＤ２に示すように、「AAシリーズ  機種情報」として提供される。
【０１１７】
また配信情報抽出手段として機能する制御部５１は、図２１（ｂ２）に示すように、図１６に示すイベント情報ＤＢで記憶されている複数のイベント情報のうちの、前記属性情報抽出手段により抽出した機種属性情報と対応付けられているイベント情報を抽出する。ここでは前記図２１（ｂ１）と同様に、該機種属性情報のうちの複数の機種属性情報と対応付けられているイベント情報（即ちAAシリーズに関するイベント情報）が抽出される。ここで抽出されたイベント情報は、前記情報配信手段（通信部５２）により、会員遊技者が操作するパソコン１又は携帯電話端末２に対して配信され、前記図２のＤ２に示すように、「AAシリーズ  イベント情報」として提供される。このように、会員遊技者による遊技頻度が高い機種の機種属性情報に対応するイベント情報を配信することから、該会員遊技者の遊技嗜好を反映したイベント情報を提供できるので、より集客効果を向上させることができる。
【０１１８】
また配信情報抽出手段として機能する制御部５１は、図２１（ｂ３）に示すように、図１７（ａ）に示す広告情報ＤＢで記憶されている遊技場６が提供する複数の広告情報のうちの、前記属性情報抽出手段により抽出した機種属性情報と対応付けられている広告情報を抽出する。ここでは機種属性情報のうちのモチーフ（映画）と対応付けられている広告情報が抽出される。ただし該抽出された広告情報は、前記図２０（ｂ２）で抽出された広告情報と重複するので、会員遊技者が操作するパソコン１又は携帯電話端末２に対しては配信されない。
【０１１９】
また配信情報抽出手段として機能する制御部５１は、図２１（ｂ３）に示すように、図１７（ｂ）に示す広告情報ＤＢで記憶されている遊技機メーカー７Ａが提供する複数の広告情報のうちの、前記属性情報抽出手段により抽出した機種属性情報と対応付けられている広告情報を抽出する。ここでは機種属性情報のうちのメーカー（Ｘ）と対応付けられている広告情報が抽出される。ここで抽出された広告情報は、前記情報配信手段（通信部５２）により、会員遊技者が操作するパソコン１又は携帯電話端末２に対して配信され、前記図２のＤ２に示すように、「Ｘ社  新機種情報」として提供される。
【０１２０】
さらに配信情報抽出手段として機能する制御部５１は、図２１（ｂ３）に示すように、図１７（ｃ）に示す広告情報ＤＢで記憶されている広告代理店７Ｂが提供する複数の広告情報のうちの、前記属性情報抽出手段により抽出した機種属性情報と対応付けられているイベント情報を抽出する。ここでは該機種属性情報のうちのモチーフ（映画，及びアドベンチャー）と対応付けられている広告情報が抽出される。ここで抽出された広告情報は、前記情報配信手段（通信部５２）により、会員遊技者が操作するパソコン１又は携帯電話端末２に対して配信され、前記図２のＤ２に示すように、「新作映画情報」として提供される。
【０１２１】
以上に説明した図２１に示すように、会員遊技者による遊技頻度が高い機種の機種属性情報に対応する配信情報を配信することから、該会員遊技者の遊技嗜好を反映した情報を提供できるので、該情報を提供するウェブサイトへのアクセス回数を向上させることができる。
【０１２２】
以上に説明した図２１に示す処理と並行して、他機種特定手段として機能する制御部５１は、図２２（ａ’）に示すように、図１３に示す機種属性情報ＤＢの記憶内容に基づいて、前記属性情報抽出手段により抽出した機種属性情報であるシリーズ（AA），メーカー（Ｘ），スペック（ＣＲフルスペック機），及びモチーフ（映画，及びアドベンチャー）と同一の機種属性情報を含む機種属性情報が対応付けられている他の機種の機種特定情報（機種名）を特定する。ここでは該機種属性情報のうちの複数の機種属性情報（ここではメーカー，及びスペック）が一致する機種名（ここではCR.BB.JX）が特定される。そして属性情報抽出手段として機能する制御部５１は、図１３に示す機種属性情報ＤＢの記憶内容から、該他機種特定手段により特定された他の機種の機種名（CR.BB.JX）と対応付けられている機種属性情報として、シリーズ（BB），メーカー（Ｘ），スペック（ＣＲフルスペック機），及びモチーフ（スポーツ，及び野球）を抽出する。
【０１２３】
次に配信情報抽出手段として機能する制御部５１は、図２２（ｂ１’）に示すように、図１３に示す機種属性情報ＤＢで記憶されている複数の機種情報のうちの、前記属性情報抽出手段により抽出した他機種の機種属性情報と対応付けられている機種情報を抽出する。ここでは前記図２１（ｂ１）と同様に、該機種属性情報のうちの複数の機種属性情報と対応付けられている機種情報（即ちBBシリーズに関する機種情報）が抽出される。ここで抽出された機種情報は、前記情報配信手段（通信部５２）により、会員遊技者が操作するパソコン１又は携帯電話端末２に対して配信され、前記図２のＤ２に示すように、「BBシリーズ  機種情報」として提供される。
【０１２４】
また配信情報抽出手段として機能する制御部５１は、図２２（ｂ２’）に示すように、図１６に示すイベント情報ＤＢで記憶されている複数のイベント情報のうちの、前記属性情報抽出手段により抽出した他機種の機種属性情報と対応付けられているイベント情報を抽出する。ここでは前記図２１（ｂ１）と同様に、該機種属性情報のうちの複数の機種属性情報と対応付けられているイベント情報（即BBシリーズに関するイベント情報）が抽出される。ここで抽出されたイベント情報は、前記情報配信手段（通信部５２）により、会員遊技者が操作するパソコン１又は携帯電話端末２に対して配信され、前記図２のＤ２に示すように、「BBシリーズ  イベント情報」として提供される。
【０１２５】
さらに配信情報抽出手段として機能する制御部５１は、図２２（ｂ３’）に示すように、図１７に示す広告情報ＤＢで記憶されている複数の広告情報のうちの、前記属性情報抽出手段により抽出した機種属性情報と対応付けられている広告情報を抽出するが、ここでは該機種属性情報と対応付けられている広告情報は無いので、該広告情報は抽出されない。
【０１２６】
以上に説明した図２２に示す処理によれば、会員遊技者による遊技頻度が高い機種の機種属性情報を含む他の機種の機種属性情報に対応する配信情報を配信することから、当該他の機種に関する情報を配信する場合にも該会員遊技者の遊技嗜好を反映した情報を提供できるので、より集客効果を向上させることができる。
【０１２７】
最後に、図２３は、交換頻度が高い景品の景品特定情報（ここではゴルフ）に基づいて行われる属性情報抽出処理及び配信情報抽出処理の一例を表す図である。前記図１９に示すように、交換頻度が高い景品の景品特定情報（景品種類）としてゴルフが特定されると、属性情報抽出手段として機能する制御部５１は、図２３（ａ）に示すように、図１５に示す景品属性情報ＤＢの記憶内容から、前記特定された景品の景品種類（ゴルフ）と対応付けられている景品属性情報として、当該景品種類（ゴルフ）を抽出する。
【０１２８】
次に配信情報抽出手段として機能する制御部５１は、図２３（ｂ）に示すように、図１７（ａ）に示す広告情報ＤＢで記憶されている遊技場６が提供する複数の広告情報のうちの、前記属性情報抽出手段により抽出した景品属性情報と対応付けられている広告情報を抽出する。ここでは該景品属性情報である景品種類（ゴルフ）と対応付けられている広告情報が抽出される。ただし該抽出された広告情報は、前記図２０（ｂ２）で抽出された広告情報と重複するので、会員遊技者が操作するパソコン１又は携帯電話端末２に対しては配信されない。
【０１２９】
また配信情報抽出手段として機能する制御部５１は、図１７（ｂ）に示す広告情報ＤＢで記憶されている遊技機メーカー７Ａが提供する複数の広告情報のうちの、前記属性情報抽出手段により抽出した景品属性情報と対応付けられている広告情報を抽出するが、ここでは該機種属性情報と対応付けられている広告情報は無いので、該広告情報は抽出されない。
【０１３０】
さらに配信情報抽出手段として機能する制御部５１は、図２３（ｂ）に示すように、図１７（ｃ）に示す広告情報ＤＢで記憶されている広告代理店７Ｂが提供する複数の広告情報のうちの、前記属性情報抽出手段により抽出した景品属性情報と対応付けられている広告情報を抽出する。ここでは該景品属性情報である景品種類（ゴルフ）と対応付けられている広告情報が抽出される。ここで抽出された広告情報は、前記情報配信手段（通信部５２）により、会員遊技者が操作するパソコン１又は携帯電話端末２に対して配信され、前記図２のＤ２に示すように、「Ｓ社  新製品情報」として提供される。
【０１３１】
以上に説明した図２３に示すように、会員遊技者による交換頻度が高い景品の景品属性情報に対応する配信情報を配信することから、該会員遊技者の景品嗜好を反映した情報を提供できるので、該情報を提供するウェブサイトへのアクセス回数をさらに向上させることができる。また会員遊技者による交換頻度が高い景品の景品属性情報に対応する広告情報を配信することから、該会員遊技者の景品嗜好を反映した広告情報を提供できるので、より広告の宣伝効果を向上させることができる。
【０１３２】
［３．情報配信装置５０の作用＝情報配信方法］
次に図２４及び図２５を参照して、情報配信装置５０の作用（即ち情報配信方法）について説明する。まず図２４は、情報配信方法における設定・記憶段階の一例を表すフローチャートである。情報配信装置５０においては、ステップＳａ（以下単に「Ｓａ」という。）１〜２０により、設定・記憶段階の処理が行われる。
【０１３３】
まずＳａ１においては、遊技場管理装置４０から会員ＩＤと会員属性情報の受信が有るか否かの判定が行われる。このＳａ１において会員ＩＤと会員属性情報の受信が有る（ＹＥＳ）と判定された場合には、Ｓａ２の会員遊技者特定情報記憶ステップにおいて、Ｓａ１で受信した会員ＩＤと会員属性情報が図１２に示す会員情報ＤＢに記憶されて、Ｓａ１に戻る。一方、Ｓａ１において会員ＩＤと会員属性情報の受信が無い（ＮＯ）と判定された場合には、Ｓａ３に進む。
【０１３４】
Ｓａ３においては、カード会社４の社員により図７（ｂ）に示す機種属性情報設定が行われたか否かの判定が行われる。このＳａ３において機種属性情報設定が行われた（ＹＥＳ）と判定された場合には、Ｓａ４の機種属性情報設定ステップにおいて、機種特定情報と、該機種特定情報から特定される機種の機種属性情報とが設定され、Ｓａ５の機種属性情報記憶ステップにおいて、Ｓａ４で設定された各機種の機種特定情報と機種属性情報とが対応付けられて図１３に示す機種属性情報ＤＢに記憶されて、Ｓａ１に戻る。一方、Ｓａ３において機種属性情報設定が行われていない（ＮＯ）と判定された場合には、Ｓａ６に進む。
【０１３５】
Ｓａ６においては、カード会社４の社員により図８（ｂ）に示す遊技場属性情報設定が行われたか否かの判定が行われる。このＳａ６において遊技場属性情報設定が行われた（ＹＥＳ）と判定された場合には、Ｓａ７の遊技場属性情報設定ステップにおいて、遊技場特定情報と、遊技場６の遊技場属性情報とが設定され、Ｓａ８の遊技場属性情報記憶ステップにおいて、Ｓａ７で設定された各遊技場６の遊技場特定情報と遊技場属性情報とが対応付けられて図１４に示す遊技場属性情報ＤＢに記憶されて、Ｓａ１に戻る。一方、Ｓａ６において遊技場属性情報設定が行われていない（ＮＯ）と判定された場合には、Ｓａ９に進む。
【０１３６】
Ｓａ９においては、カード会社４の社員により図９（ｂ）に示す景品属性情報設定が行われたか否かの判定が行われる。このＳａ９において景品属性情報設定が行われた（ＹＥＳ）と判定された場合には、Ｓａ１０の景品属性情報設定ステップにおいて、景品特定情報と、該景品特定情報から特定される景品の景品属性情報とが設定され、Ｓａ１１の景品属性情報記憶ステップにおいて、Ｓａ１０で設定された各景品の景品特定情報と景品属性情報とが対応付けられて図１５に示す景品属性情報ＤＢに記憶されて、Ｓａ１に戻る。一方、Ｓａ９において景品属性情報設定が行われていない（ＮＯ）と判定された場合には、Ｓａ１２に進む。
【０１３７】
Ｓａ１２では、カード会社４の社員により図１０（ｂ），図１０（ｂ’），又は図１１（ｃ）に示す配信条件設定が行われたか否かの判定が行われる。このＳａ１２において配信条件設定が行われた（ＹＥＳ）と判定された場合には、Ｓａ１３の配信情報設定ステップにおいて、配信情報（機種情報，イベント情報，又は広告情報）と、当該配信情報の配信対象となる属性情報（機種属性情報，遊技場属性情報，景品属性情報）とが設定され、Ｓａ１４の配信情報記憶ステップにおいて、Ｓａ１３で設定された配信情報と当該配信情報の配信対象となる属性情報とが対応付けられて図１３に示す機種属性情報ＤＢ，図１６に示すイベント情報ＤＢ，又は図１７に示す広告情報ＤＢに記憶されて、Ｓａ１に戻る。一方、Ｓａ１２において配信条件設定が行われていない（ＮＯ）と判定された場合には、Ｓａ１５に進む。
【０１３８】
Ｓａ１５の来店情報受信ステップでは、遊技場管理装置４０から会員ＩＤと来店情報の受信が有るか否かの判定が行われる。このＳａ１５において会員ＩＤと来店情報の受信が有る（ＹＥＳ）と判定された場合には、Ｓａ１６の来店情報記憶ステップにおいて、Ｓａ１５で受信した会員ＩＤが図１２に示す会員情報ＤＢの記憶内容から特定され、該特定された会員ＩＤと対応付けて前記受信した来店情報が図１８に示す会員履歴ＤＢに記憶されて、Ｓａ１に戻る。一方、Ｓａ１５において来店情報の受信が無い（ＮＯ）と判定された場合には、Ｓａ１７に進む。
【０１３９】
Ｓａ１７の遊技機種情報受信ステップでは、遊技場管理装置４０から会員ＩＤと機種特定情報とを含む遊技機種情報の受信が有るか否かの判定が行われる。このＳａ１７において遊技機種情報の受信が有る（ＹＥＳ）と判定された場合には、Ｓａ１８の遊技機種情報記憶ステップにおいて、Ｓａ１７で受信した遊技機種情報に含まれる会員ＩＤが図１２に示す会員情報ＤＢの記憶内容から特定され、該特定された会員ＩＤと対応付けて前記受信した遊技機種情報に含まれる機種特定情報が図１８に示す会員履歴ＤＢに記憶されて、Ｓａ１に戻る。一方、Ｓａ１７において遊技機種情報の受信が無い（ＮＯ）と判定された場合には、Ｓａ１９に進む。
【０１４０】
Ｓａ１９の景品交換情報受信ステップでは、遊技場管理装置４０から会員ＩＤと景品特定情報とを含む景品交換情報の受信が有るか否かの判定が行われる。このＳａ１９において景品交換情報の受信が有る（ＹＥＳ）と判定された場合には、Ｓａ２０の景品交換情報記憶ステップにおいて、Ｓａ１９で受信した景品交換情報に含まれる会員ＩＤが図１２に示す会員情報ＤＢの記憶内容から特定され、該特定された会員ＩＤと対応付けて前記受信した景品交換情報に含まれる景品特定情報が図１８に示す会員履歴ＤＢに記憶されて、Ｓａ１に戻る。一方、Ｓａ１９において景品交換情報の受信が無い（ＮＯ）と判定された場合には、リターンする。
【０１４１】
次に図２５は、情報配信方法における算出・特定・抽出・配信段階の一例を表すフローチャートである。情報配信装置５０においては、ステップＳｂ（以下単に「Ｓｂ」という。）１〜１１により、算出・特定・抽出・配信段階の処理が行われる。
【０１４２】
まずＳｂ１の会員遊技者特定情報受付ステップでは、会員遊技者が操作する情報端末（パソコン１又は携帯電話端末２）から会員ＩＤと配信要求の受付（受信）が待機される。このＳｂ１で会員ＩＤと配信要求の受信が有る（ＹＥＳ）と判定された場合には、Ｓｂ２で、図１２に示す会員情報ＤＢの記憶内容から該受信した会員ＩＤに対応する会員属性情報が抽出され、Ｓｂ３で、図１８に示す会員履歴ＤＢの記憶内容から該受信した会員ＩＤに対応する会員履歴（来店情報，遊技機種情報，及び景品交換情報）が抽出されて、Ｓｂ４に進む。
【０１４３】
Ｓｂ４では、前記Ｓｂ２で抽出した会員属性情報が他の遊技場６で登録が有るか否かの判定が行われる。このＳｂ４で前記抽出した会員属性情報が他の遊技場６で登録が有る（ＹＥＳ）と判定された場合には、Ｓｂ５で、図１２に示す会員情報ＤＢの記憶内容から前記抽出した会員属性情報に対応する他の遊技場の会員ＩＤが特定され、Ｓｂ６で、図１８に示す会員履歴ＤＢの記憶内容から該特定した会員ＩＤに対応する会員履歴（来店情報，遊技機種情報，及び景品交換情報）が抽出されて、Ｓｂ７に進む。一方、Ｓｂ４で前記抽出した会員属性情報が他の遊技場６で登録が無い（ＮＯ）と判定された場合にも、Ｓｂ７に進む。
【０１４４】
Ｓｂ７の算出ステップ，及びＳｂ８の特定ステップでは、前記図１９に示す算出処理，及び特定処理が行われ、Ｓｂ９の属性情報抽出ステップ，及びＳｂ１０の配信情報抽出ステップでは、前記図２０〜図２３に示す処理が行われ、Ｓｂ１１の情報配信ステップで、前記Ｓｂ１０に示す配信情報抽出ステップで抽出された配信情報が、前記Ｓｂ１に示す会員遊技者特定情報受付ステップで受け付けた会員ＩＤから特定される会員遊技者が操作する情報端末（パソコン１又は携帯電話端末２）に対して配信されて、リターンする。
【０１４５】
以上に説明した情報配信方法によれば、会員遊技者による遊技頻度が高い機種の機種属性情報に対応する配信情報を配信することから、該会員遊技者の遊技嗜好を反映した情報を提供できるので、該情報を提供するウェブサイトへのアクセス回数を向上することができる。
【０１４６】
［４．本発明の変形例］
最後に、本発明の変形例について説明する。
【０１４７】
上記の実施形態では、図１に示すように、情報配信装置５０がカード会社４に設けられている例について説明したが、これに限らず、該情報配信装置５０は、カード会社４以外の会社や機関に設けられるものであっても良い。
【０１４８】
上記の実施形態では、図１に示すように、情報配信装置５０と遊技場６，遊技機メーカー７Ａ，及び広告代理店７Ｂとの間がインターネット５を介して接続されている例について説明したが、これに限らず、それらの間は専用線や公衆回線網を介して接続されるものであっても良い。
【０１４９】
上記の実施形態では、記録媒体（会員カード３）が非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状はカード型には限られず、コイン型であっても良い。
【０１５０】
上記の実施形態では、会員遊技者特定情報が会員ＩＤである例について説明したが、これに限らず、該会員遊技者特定情報は、ウェブサイトで会員ＩＤを登録することにより付与されるサイトＩＤであっても良い。
【０１５１】
上記の実施形態では、図１に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０１５２】
上記の実施形態では、図１に示すように、遊技用装置が呼出ランプ装置２０である例について説明したが、これに限らず、該遊技用装置は、遊技機（パチンコ機１０）に対応して設けられ、遊技媒体（パチンコ玉）を貸与する機能を備える玉貸ユニットであっても良い。
【０１５３】
上記の実施形態では、遊技場管理装置４０が呼出ランプ装置２０から会員ＩＤと台番号を受信したときに、該遊技場管理装置４０から情報配信装置５０に対して来店情報と遊技機種情報が送信され、遊技場管理装置４０がＰＯＳ装置３０から獲得玉数と会員ＩＤと景品ＩＤを受信したときに、該遊技場管理装置４０から情報配信装置５０に対して景品交換情報が送信される例について説明したが、これに限らず、遊技場管理装置４０において来店情報，遊技機種情報，及び景品交換情報を蓄積しておき、該遊技場管理装置４０から情報配信装置５０に対して、任意のタイミング（例えば遊技場６の営業終了後等）で、該蓄積しておいた来店情報，遊技機種情報，及び景品交換情報が送信されるようにしても良い。
【０１５４】
上記の実施形態では、提供される配信情報が機種情報，イベント情報，及び広告情報である例について説明したが、これに限らず、該配信情報は、例えばニュース等であっても良く、特に限定されない。また配信情報の提供先は、遊技場６，遊技機メーカー７Ａ，及び広告代理店７Ｂには限られず、例えば放送局，新聞社，又は一般店舗等であっても良く、特に限定されない。さらに配信情報は、静止画には限られず、動画（例えばリーチ画像）や音楽（例えばリーチ音楽）等であっても良い。
【０１５５】
上記の実施形態では、図１０（ｂ），図１０（ｂ’），及び図１１（ｃ）に示すように、配信条件設定がカード会社４の社員により行われる例について説明したが、これに限らず、カード会社４のウェブサイトにアクセスすると、該ウェブサイトで図１０（ｂ），図１０（ｂ’），又は図１１（ｃ）に示す配信条件設定画面が表示され、該ウェブサイトで表示される配信条件設定画面において、配信情報の提供元が各種の入力を行うことにより、配信条件設定が行われるようにしても良い。
【０１５６】
上記の実施形態では、図１０（ｂ），図１０（ｂ’），及び図１１（ｃ）に示すように、配信対象となる機種属性情報については複数の情報を設定できる例について説明したが、これに限らず、配信対象となる遊技場属性情報や景品属性情報についても複数の情報を設定できるようにしても良く、これによれば、複数の遊技場属性情報や景品属性情報に対応する配信情報を抽出して配信することから、会員遊技者の遊技嗜好をより確実に反映した情報を提供できるので、該情報を提供するウェブサイトへのアクセス回数をさらに向上させることができる。
【０１５７】
上記の実施形態では、図１３に示すように、遊技機メーカー７Ａからカード会社４に対して、機種属性情報として各機種のシリーズ，メーカー，及びスペックが提供される例について説明したが、これに限らず、機種属性情報としてモチーフも提供されるようにしても良く、この場合には、該提供されたモチーフが、カード会社４の情報配信装置５０において一旦記憶され、図７（ｂ）に示す機種属性情報設定画面において、モチーフの入力欄に、該提供されたモチーフが予め表示される。
【０１５８】
上記の実施形態では、図１９に示すように、来店頻度が来店回数であり、遊技頻度が遊技回数であり、交換頻度が交換回数である例について説明したが、これに限らず、例えば来店頻度は、全来店回数に占める当該遊技場の来店回数を示す来店割合であっても良く、また遊技頻度は、全遊技回数に占める当該機種の遊技回数を示す遊技割合であっても良く、さらに交換頻度は、全交換回数に占める当該景品の交換回数を示す交換割合であっても良い。
【０１５９】
上記の実施形態では、図１９に示す算出処理及び特定処理が、配信要求を受け付けたことに基づいて行われる例について説明したが、これに限らず、配信要求を受け付ける前に該算出処理及び特定処理を予め行っておくようにしても良い。即ち、算出処理及び特定処理を行うタイミングは、特に限定されない。
【図面の簡単な説明】
【０１６０】
【図１】図１は本発明に係る情報配信装置を含む情報配信システムの一例を表す機能ブロック図である。
【図２】図２はパソコン又は携帯電話端末のディスプレイに表示される画面の一例を表す図である。
【図３】図３（ａ）は呼出ランプ装置及びパチンコ機の一例を表す正面図であり、図３（ｂ）は同呼出ランプ装置の右側面図である。
【図４】図４はＰＯＳ装置の一例を表す斜視図である。
【図５】図５は遊技場管理装置のディスプレイに表示される画面の一例を表す図であり、（ａ）は機種設定画面，（ｂ）は景品設定画面，（ｃ）はイベント設定画面である。
【図６】図６は遊技場管理装置のハードディスクに記憶されている記憶内容の一例を表す図であり、（ａ）は機種ＤＢ，（ｂ）は景品ＤＢ，（ｃ）はイベントＤＢである。
【図７】図７は情報配信装置のディスプレイに表示される機種属性情報設定画面の一例を表す図である。
【図８】図８は情報配信装置のディスプレイに表示される遊技場属性情報設定画面の一例を表す図である。
【図９】図９は情報配信装置のディスプレイに表示される景品属性情報設定画面の一例を表す図である。
【図１０】図１０は情報配信装置のディスプレイに表示されるイベント情報に関する配信条件設定画面の一例を表す図である。
【図１１】図１１は情報配信装置のディスプレイに表示される広告情報に関する配信条件設定画面の一例を表す図である。
【図１２】図１２は情報配信装置のハードディスクに記憶されている会員情報ＤＢの記憶内容の一例を表す図である。
【図１３】図１３は情報配信装置のハードディスクに記憶されている機種属性情報ＤＢの記憶内容の一例を表す図である。
【図１４】図１４は情報配信装置のハードディスクに記憶されている遊技場属性情報ＤＢの記憶内容の一例を表す図である。
【図１５】図１５は情報配信装置のハードディスクに記憶されている景品属性情報ＤＢの記憶内容の一例を表す図である。
【図１６】図１６は情報配信装置のハードディスクに記憶されているイベント情報ＤＢの記憶内容の一例を表す図である。
【図１７】図１７は情報配信装置のハードディスクに記憶されている広告情報ＤＢの記憶内容の一例を表す図である。
【図１８】図１８は情報配信装置のハードディスクに記憶されている会員履歴ＤＢの記憶内容の一例を表す図である。
【図１９】図１９は情報配信装置が行う算出処理及び特定処理の一例を表す図である。
【図２０】図２０は情報配信装置が行う属性情報抽出処理及び配信情報抽出処理（来店頻度が高い遊技場の遊技場特定情報に基づく場合）の一例を表す図である。
【図２１】図２１は情報配信装置が行う属性情報抽出処理及び配信情報抽出処理（遊技頻度が高い機種の機種特定情報に基づく場合）の一例を表す図である。
【図２２】図２２は図２１に続く図である。
【図２３】図２３は情報配信装置が行う属性情報抽出処理及び配信情報抽出処理（交換頻度が高い景品の景品特定情報に基づく場合）の一例を表す図である。
【図２４】図２４は情報配信方法における設定・記憶段階の一例を表すフローチャートである。
【図２５】図２５は情報配信方法における算出・特定・抽出・配信段階の一例を表すフローチャートである。
【符号の説明】
【０１６１】
１…パソコン
２…携帯電話端末
１０…パチンコ機
４０…遊技場管理装置
５０…情報配信装置
５１…制御部
５２…通信部
５３…ディスプレイ
５４…入力装置
５５…ハードディスク
【図１】
2005230291.tif 000003
【図２】
2005230291.tif 000004
【図３】
2005230291.tif 000005
【図４】
2005230291.tif 000006
【図５】
2005230291.tif 000007
【図６】
2005230291.tif 000008
【図７】
2005230291.tif 000009
【図８】
2005230291.tif 000010
【図９】
2005230291.tif 000011
【図１０】
2005230291.tif 000012
【図１１】
2005230291.tif 000013
【図１２】
2005230291.tif 000014
【図１３】
2005230291.tif 000015
【図１４】
2005230291.tif 000016
【図１５】
2005230291.tif 000017
【図１６】
2005230291.tif 000018
【図１７】
2005230291.tif 000019
【図１８】
2005230291.tif 000020
【図１９】
2005230291.tif 000021
【図２０】
2005230291.tif 000022
【図２１】
2005230291.tif 000023
【図２２】
2005230291.tif 000024
【図２３】
2005230291.tif 000025
【図２４】
2005230291.tif 000026
【図２５】
2005230291.tif 000027